(57)【要約】【課題】超低温状態の液化天然ガスの保存タンクを単純化し、組立工程を短縮し、高度の液密性を保持し、機械的変形による応力を解消し、液化天然ガスの気化による損失を最小化できる液化天然ガス保存タンクの提供。【解決手段】２個の連続する密封壁及び２個の断熱壁を含み、その密封壁の内の一次密封壁は保存タンクに保存される液化天然ガスと直接接して、その外側に一次断熱壁、二次密封壁及び二次断熱壁の順に配置される液化天然ガス保存用タンクにおいて、前記一次密封壁は前記タンクの底面と機械的に締結したアンカー部によって支持されて、上前記一次断熱壁、二次密封壁及び二次断熱壁はタンクの平面部においてその上下面が締結されて多数の平面構造体からなり、前記各平面構造体は各々前記一次密封壁とタンク底面の間をスライディング可能に設置された保存用タンク。【選択図】図３９
2006300319.tif 000002
【特許請求の範囲】
【請求項１】
２個の連続する密封壁及び２個の断熱壁を含んで、その密封壁の内の一次密封壁は保存タンクに保存される液化天然ガスと直接接して、その下部に一次断熱壁、二次密封壁及び二次断熱壁の順に配置される液化天然ガスの保存タンクにおいて、
前記一次密封壁は前記タンクの底面と機械的に締結したアンカー部によって支持されて、
前記一次断熱壁、二次密封壁及び二次断熱壁はタンクの平面部においてその上下面が締結された多数の平面構造体からなり、前記各平面構造体はそれぞれ前記一次密封壁とタンク底面の間をスライディング可能に設置されることを特徴とする、アンカーを利用した液化天然ガスの保存タンク。
【請求項２】
前記平面構造体は予備組立体に製作されて、前記アンカー部を基準に組み立られて、断熱システムを構成することを特徴とする、請求項１に記載のアンカーを利用した液化天然ガスの保存タンク。
【請求項３】
前記一次密封壁は前記アンカー部の上端部と熔接で締結することを特徴とする、 請求項２に記載のアンカーを利用した液化天然ガスの保存タンク。
【請求項４】
前記アンカー部の上端部は前記アンカー部内に設置されるアンカー支持ロードの末端またはこれに締結するアンカー上部キャップであることを特徴とする、請求項３に記載のアンカーを利用した液化天然ガスの保存タンク。
【請求項５】
前記二次密封壁は前記断熱壁が形成する側面の空間部に延長されて、
前記延長された二次密封壁の端部は上部固定板及び下部固定板によって締結されて、
前記上部固定板及び下部固定板の締結面は前記二次密封壁の端部が挿入できるように形成された溝を含むことを特徴とする、請求項１に記載のアンカーを利用した液化天然ガスの保存タンク。
【請求項６】
前記平面構造体の下端にはフランジが突出しており、前記フランジは前記アンカー部の下部とタンク底面の間に形成されている隙間に挿入されて上方向の移動は制限されるが水平方向はスライディング可能であることを特徴とする、請求項１乃至５の一項に記載のアンカーを利用した液化天然ガスの保存タンク。
【請求項７】
液化天然ガスを積載するタンクと、
前記タンク内に積載する液化天然ガスと直接接する一次密封壁と、
前記タンクと前記一次密封壁とを機械的に連結する多数の連結手段と、
前記タンクと前記一次密封壁の間に位する中間壁構造体とで構成されて、
前記中間壁構造体は前記タンク及び前記一次密封壁の中で少なくとも一つに対して移動が可能なことを特徴とする液化天然ガスの保存タンク。
【請求項８】
前記中間壁構造体は前記タンクの平面部に設置される平面構造体及び前記タンクのコーナー部に設置されるコーナー構造体で成り立つことを特徴とする、請求項７に記載の液化天然ガスの保存タンク。
【請求項９】
前記中間壁構造体は多数の孔を有して、前記孔に前記連結手段が貫通することを特徴とする、請求項８に記載の液化天然ガスの保存タンク。
【請求項１０】
前記中間壁構造体は前記一次密封壁と接する一次断熱壁と、
前記タンクに接する二次断熱壁と、
前記一次及び二次断熱壁の間に位する二次密封壁とで構成されることを特徴とする、請求項９に記載の液化天然ガスの保存タンク。
【請求項１１】
前記二次密封壁は前記中間壁構造体と前記連結手段との間で液密的に繋がることを特徴とする、請求項１０に記載の液化天然ガスの保存タンク。
【請求項１２】
前記中間壁構造体を形成する一次断熱壁、二次密封壁及び二次断熱壁はその接触面が接着剤で接着することを特徴とする、請求項１１に記載の液化天然ガスの保存タンク。
【請求項１３】
平面構造体とコーナー構造体はそれぞれ予備組立体に形成されることを特徴とする、請求項１２に記載の液化天然ガスの保存タンク。
【請求項１４】
前記コーナー構造体は前記タンクに接着剤で接着されて前記一次密封壁に対してだけ移動が可能で、前記平面構造体は前記一次密封壁及びタンクに対する移動が可能なことを特徴とする、請求項１３に記載の液化天然ガスの保存タンク。
【請求項１５】
前記平面構造体は一次断熱壁と、
前記一次断熱壁の上部に附着する上部板材と、
前記一次断熱壁の下部に附着する二次密封壁と、
前記二次密封壁の下部に附着する二次断熱壁と、
前記二次断熱壁の下部に附着する下部板材とで構成されて、
前記下部板材は前記二次断熱壁の一つ以上の側面で延長されてフランジを形成することを特徴とする、請求項８に記載の液化天然ガスの保存タンク。
【請求項１６】
前記一次または二次断熱壁及び密封壁及び上下部板材が接している部分は接着剤で接着することを特徴とする、請求項１５に記載の液化天然ガスの保存タンク。
【発明の詳細な説明】
【技術分野】
【０００１】
本発明は、船舶及び陸上用のタンク、車両などの構造物の内部に設置される液化天然ガスの保存タンク及びその製造方法に関するもので、詳細には超低温状態の液体の液化天然ガスを保存するタンクの構造を単純化することによって従来の組立工程を縮小すると共に高度の液密性を維持する一方、機械的変形による応力をより容易く解消できる、新規なアンカーを利用した液化天然ガスの保存タンクに関するものである。
【背景技術】
【０００２】
一般的に、液化天然ガス（Liquefied Natural Gas、LNG）は化石燃料の一種の天然ガスが液化したもので、液化天然ガスの保存タンクは設置される位置によって地上に設置されるものと地中に埋め立てられる陸上型保存タンクまたは自動車、船舶などの運送手段に設置される移動型保存タンクなどに仕分けられる。
【０００３】
前述の液化天然ガスは衝撃による爆発の危険性を有しているため、超低温状態に保存されるので、これを保管する保存タンクは高度の耐衝撃性及び液密性で保たれる構造を成している。このような保存タンクにおいて、流動のほとんどない陸上型保存タンクに比べて流動のある自動車、船舶に設置される液化天然ガスの保存タンクの構造は流動による機械的応力に備えて対備策を工夫しなければならないという点では多少違いがある。しかし、機械的応力に備えて対備策が工夫された船舶に設置された液化天然ガスの保存タンクは陸上型保存タンクとしても当然使用することができるので、本発明の明細書には船舶に設置される液化天然ガスの保存タンクの構造を一例として説明する。
【０００４】
まずLNG輸送船の内部に設置される液化天然ガス（Liquefied Natural Gas、LNG）の保存タンクは独立タンク型（Independent Tank Type）とメンブレン型（Membrane Type）に分けることができる。これは断熱材に貨物の荷重が直接作用するかどうかによる分類であり、その具体的な内容は下記のとおりである。
【０００５】
下記の表１において、所謂GTT NO ９６-２型とGTT Mark III 型は１９９５年ガズトランスポート（Gaz Transport、GT）社とテクニガズ（Technigaz、TGZ）社がGTT（Gaztransport & Technigaz）社に名称が変更されたので、GT型はGTT NO ９６-２型に、TGZ型はGTT Mark III 型にそれぞれ改称された。
【０００６】
前述のGT型及びTGZ型のタンクの構造は、米国特許第６,０３５,７９５号明細書（特許文献１）、米国特許第６,３７８,７２２号明細書（特許文献２）、米国特許第５,５８６,５１３号明細書（特許文献３）、米国特許公開第２００３-００００９４９号公報（特許文献４）と、大韓民国特許公開第２０００-００１１３４６号公報（特許文献５）、大韓民国特許公開第２０００-００１１３４７号公報（特許文献６）などに記載されている。
【０００７】
【表１】
2006300319.tif 000003
【０００８】
GTT社のメンブレン型のLNG線は、断熱材及び船体が直接荷重を受けて、貨物タンクと貨物タンクとの間における機械的/熱的特性に伴う危険性を避けるために、コファダム（Cofferdam）が設置されており、これらのコファダム（Cofferdam）の内部の空気温度はコファダム側の船体内板の低温脆性を防ぐために+5℃以上を維持しなければならない。そのために、ヒーティングコイル（Heating Coil）のような加熱手段が設置されて、一般的に蒸気または高温水のような熱源を利用するようにしている。断熱材の施工はまず船体に足場を設置して完成した後、アクセスハウス（Access House）で足場資材と陸上で完成された断熱材ボックスとメンブレン（Membrane）及びその他の資材を搬入して設置する。球形タンクの場合、進水の事前作業期間が長いのに対してメンブレン方式は進水後の期間が長い。
【０００９】
GTT社のメンブレン型の中でNO ９６-２型は、図１及び図２に図示したとおりに０.５〜０.７mmの厚さのインバー（Invar）鋼（36% Ni）を使用するので、一次密封壁（１０）及び二次密封壁（１５）がほとんど同一の液密性及び強度を維持しており、一次密封壁（１０）の漏洩時に長い期間を二次密封壁（１５）だけで貨物を安全に守ることができる。また、GTT NO ９６-２型の密封壁（１０、１５）はメンブレン（Membrane）が直線型なので、Mark III 型の波形メンブレンより熔接が簡単で自動化率は高いが、全体的な熔接の長さはGTT NO ９６-２型の方が長い。
【００１０】
更に、既存のGT型と現在使われているGTT NO ９６-２型との最大の違いは断熱材ボックス（断熱壁、１１、１６）を支持するU型バー（Bar）の代わりにDouble Couple（１７）を利用する点である。GTT NO ９６-２型のLNG線の保存タンクの防熱断面に対する主要部分の機能は、表２のとおりである。
【００１１】
【表２】
2006300319.tif 000004
【００１２】
一方、GTT社のMark III 型は、図３及び図４に図示したとおりに、一次密封壁（２０）で１.２mmの厚さの波形が付いたステンレス鋼メンブレンであり、低温による収縮は波形部のしわで吸収するので、メンブレン内には大きい応力がほとんど発生しない。また、断熱壁（２１、２６）の材料としてGlass Wool、Triplexなどが使用される。Mark III 型は一次及び二次断熱壁（Insulation、２１、２６）を陸上で加工して一体型に搭載するので、ボックス型の一次及び二次断熱壁（２１、２６）をそれぞれ設置しなければならないGTT NO ９６-２型に比べて施工が相対的に容易である。
【００１３】
GTT Mark III 型のLNG線の保存タンクの防熱断面に関する主要部分の機能は下記の表３のとおりである。
【００１４】
【表３】
2006300319.tif 000005
【００１５】
上述のような構造のGTT NO ９６-２型の保存タンクとGTT Mark III 型の保存タンクとで重要な部分がコーナー部（Corner Part）の構造である。
【００１６】
ここで、液化天然ガスの保存タンクにおけるコーナー部（Corner Part）は保存タンクを構成する各密封壁（メンブレン）の熱変形による荷重が非対称的に作用する区域であり、このような非対称荷重を分散させることで保存タンクから発生する応力を解消することができるように構造的に成らなければならない。
【００１７】
このようなLNG保存タンクにおけるコーナー部に関する最近の技術としては、大韓民国特許公開第２０００-００１１３４７号公報（特許文献６）に開始された“船舶の支持構造物内に設置されるタンクとして改良されたコーナー構造を有する液密及び断熱タンク”がある。
【００１８】
図５に示したとおりに、上述の大韓民国特許公開第２０００-００１１３４７号公報（特許文献６）に開始されたコーナー部の構造は、船体内部面（１）と横隔壁（２）とが成す９０°角度の部位に予備組立式の複合ガーダー（Girder、３０）を固定するようになり、その複合ガーダー（３０）は硬質のW型の金属形象体（３１）に一定間隔に形成された強化ウェイブ（３９、点線部分）を内蔵した熱絶縁材（４０）からなっている。
【００１９】
これらの形式の予備組立式の複合ガーダー（３０）は船体内部面（１）及び横隔壁（２）に面する部分はそれぞれ重合樹脂（３４）を媒介に固定されており、両分岐面は前記横隔壁（２）及び二重船体内部面（１）によってそれぞれ支持される固定手段（３２、３３）によって船体のベアリング（Bearing）構造物に機械的に取り付けられるようにする。
【００２０】
また、前記予備組立式の複合ガーダー（３０）の底部は、船体内部面（１）と横隔壁（２）が接する９０°角度の部位に排水空間（４１）が設けられるように勾配（４２）になっている。
【００２１】
前記予備組立式の複合ガーダー（３０）を利用してLNG保存タンクのコーナー部を組み立てる技術は、比較的に簡単な構造であり、安い取付費で二重隔壁の塗装体を損傷せずに機械的衝撃による密封壁の抵抗性を改善するという效果は有しているが、保存タンクのコーナー部を構成する基本単位である予備組立式の複合ガーダー（３０）が硬質の金属形象体（３１）で構成されているので、前記金属形象体（３１）が船体内部面（１）及び横隔壁（２）に固定するために機械的固定手段（３２、３３、ボルト-ナット）による手作業で行われる）ので、組立作業が用意ではない。
【００２２】
前記メンブレン型のLNG保存タンクのコーナー部の構造は、前記保存タンクのコーナー部を構成する基本単位である予備組立式の複合ガーダー（３０）が船体内部面（１）と横隔壁（２）に堅固に固定される構造であり、船体の運行時あるいは波によって船体に部分的な応力が発生し得るので、コーナー部に応力集中現象が発生する。そのため、数十年にも及んで応力集中を改善しようとする努力が行われており、更なる持続的な改善が必要である。そして、応力集中に限らず超低温の液体LNGの気化による損失であるBOG（Boil-Off Gas）の低減、構造の単純化、製造工程の単純化に関する持続的な改善も行われている。
【００２３】
【特許文献１】米国特許第６,０３５,７９５号明細書
【特許文献２】米国特許第６,３７８,７２２号明細書
【特許文献３】米国特許第５,５８６,５１３号明細書
【特許文献４】米国特許公開第２００３-００００９４９号公報
【特許文献５】大韓民国特許公開第２０００-００１１３４６号公報
【特許文献６】大韓民国特許公開第２０００-００１１３４７号公報
【発明の開示】
【発明が解決しようとする課題】
【００２４】
前記メンブレン（Membrane）型の液化天然ガスの保存タンクは、超低温液状の液化天然ガスの気化による損失であるBOGの低減、複雑な断熱壁及び密封壁の構造単純化、製造工程の単純化によるタンクの乾燥期間の減少、タンクのコーナー部及び密封壁での応力解消などの点において数十年に渡って改善の努力が行われているが、更なる改善の必要性が求められる。
【００２５】
よって、本発明は、従来のメンブレン型の液化天然ガスの保存タンクと相異な新しい構造のメンブレン型の液化天然ガスの保存タンクを発明して前記問題点を改善しようとする。
【００２６】
また、従来のLNG保存タンクの底面に設置される断熱壁は複数で成り立つ構造であり、各平面構造体はアンカー構造体によって固定される。ところで、船舶の移動時に波や荷物のスロッシング（Sloshing）などによって船体に変形が生じて、それに伴って前記断熱壁には機械的応力が発生するので、その問題点を解消するための持続的な技術開発が行われている。
【００２７】
よって、本発明は、従来のメンブレン型のLNG保存タンクと相異な新しい構造のメンブレン型のLNG保存タンクを提案しており、組立構造及び製造工程が単純化されて、タンクの乾燥期間が短縮されるだけではなく、保存タンクに保存される液化天然ガスの貯蔵及び排出から発生する熱的/機械的応力をより效率的に解消するための新しい構造の液化天然ガスの保存タンク及びその製造方法を提供することにその目的がある。
【課題を解決するための手段】
【００２８】
本発明ではタンク内の貨物の荷重に対してはアンカー部と断熱壁とが均等に受けるが一次密封壁はアンカー部にのみ機械的に結合されて支持されるようにした。この構造により、断熱壁が一次密封壁に対してスライディング（Sliding）ができ、船舶に波などによって船体に生じる応力はタンク内部の断熱システムを破壊せずに簡単に解決された。
【００２９】
本発明は、第１の態様において、２個の連続する密封壁及び２個の断熱壁を含んで、その密封壁の内の一次密封壁は保存タンクに保存される液化天然ガスと直接接して、その下部（外側）に一次断熱壁、二次密封壁及び二次断熱壁の順に配置される液化天然ガスの保存タンクにおいて、
前記一次密封壁は前記タンクの底面と機械的に締結したアンカー部によって支持されて、
前記一次断熱壁、二次密封壁及び二次断熱壁はタンクの平面部においてその上下面が締結された多数の平面構造体からなり、前記各平面構造体はそれぞれ前記一次密封壁とタンク底面の間をスライディング可能に設置されることを特徴とする、アンカーを利用した液化天然ガスの保存タンクに関する。
【００３０】
本発明は、第２の態様において、前記第１の態様の発明に関して、前記平面構造体は予備組立体に製作されて、前記アンカー部を基準に組み立られて、断熱システムを構成することを特徴とする、アンカーを利用した液化天然ガスの保存タンクに関する。
【００３１】
本発明は、第３の態様において、前記第２の態様の発明に関して、前記一次密封壁は前記アンカー部の上端部と熔接で締結することを特徴とする、アンカーを利用した液化天然ガスの保存タンクに関する。
【００３２】
本発明は、第４の態様において、前記第３の態様の発明に関して、前記アンカー部の上端部は前記アンカー部内に設置されるアンカー支持ロードの末端またはこれに締結するアンカー上部キャップであることを特徴とする、アンカーを利用した液化天然ガスの保存タンクに関する。
【００３３】
本発明は、第５の態様において、前記第１の態様の発明に関して、前記二次密封壁は前記断熱壁が形成する側面の空間部に延長されて、前記延長された二次密封壁の端部は上部固定板及び下部固定板によって締結されて、前記上部固定板及び下部固定板の締結面は前記二次密封壁の端部が挿入できるように形成された溝を含むことを特徴とする、アンカーを利用した液化天然ガスの保存タンクに関する。
【００３４】
本発明は、第６の態様において、前記第１〜５のいずれかの態様の発明に関して、前記平面構造体の下端にはフランジが突出しており、前記フランジは前記アンカー部の下部とタンク底面の間に形成されている隙間に挿入されて上方向の移動は制限されるが水平方向はスライディング可能であることを特徴とする、アンカーを利用した液化天然ガスの保存タンクに関する。
【００３５】
本発明は、第７の態様において、液化天然ガスを積載するタンクと、
前記タンク内に積載する液化天然ガスと直接接する一次密封壁と、
前記タンクと前記一次密封壁とを機械的に連結する多数の連結手段と、
前記タンクと前記一次密封壁の間に位する中間壁構造体とで構成されて、
前記中間壁構造体は前記タンク及び前記一次密封壁の中で少なくとも一つに対して移動が可能なことを特徴とする液化天然ガスの保存タンクに関する。
【００３６】
本発明は、第８の態様において、前記第７の態様の発明に関して、前記中間壁構造体は前記タンクの平面部に設置される平面構造体及び前記タンクのコーナー部に設置されるコーナー構造体で成り立つことを特徴とする、液化天然ガスの保存タンクに関する。
【００３７】
本発明は、第９の態様において、前記第８の態様の発明に関して、前記中間壁構造体は多数の孔を有して、前記孔に前記連結手段が貫通することを特徴とする、液化天然ガスの保存タンクに関する。
【００３８】
本発明は、第１０の態様において、前記第９の態様の発明に関して、前記中間壁構造体は前記一次密封壁と接する一次断熱壁と、前記タンクに接する二次断熱壁と、前記一次及び二次断熱壁の間に位する二次密封壁とで構成されることを特徴とする、液化天然ガスの保存タンクに関する。
【００３９】
本発明は、第１１の態様において、前記第１０の態様の発明に関して、前記二次密封壁は前記中間壁構造体と前記連結手段との間で液密的に繋がることを特徴とする、液化天然ガスの保存タンクに関する。
【００４０】
本発明は、第１２の態様において、前記第１１態様の発明に関して、前記中間壁構造体を形成する一次断熱壁、二次密封壁及び二次断熱壁はその接触面が接着剤で接着することを特徴とする、液化天然ガスの保存タンクに関する。
【００４１】
本発明は、第１３の態様において、前記第１２態様の発明に関して、平面構造体とコーナー構造体はそれぞれ予備組立体に形成されることを特徴とする、液化天然ガスの保存タンクに関する。
【００４２】
本発明は、第１４の態様において、前記第１３態様の発明に関して、前記コーナー構造体は前記タンクに接着剤で接着されて前記一次密封壁に対してだけ移動が可能で、前記平面構造体は前記一次密封壁及びタンクに対する移動が可能なことを特徴とする、液化天然ガスの保存タンクに関する。
【００４３】
本発明は、第１５の態様において、前記第８態様の発明に関して、
前記平面構造体は一次断熱壁と、
前記一次断熱壁の上部に附着する上部板材と、
前記一次断熱壁の下部に附着する二次密封壁と、
前記二次密封壁の下部に附着する二次断熱壁と、
前記二次断熱壁の下部に附着する下部板材とで構成されて、
前記下部板材は前記二次断熱壁の一つ以上の側面で延長されてフランジを形成することを特徴とする、液化天然ガスの保存タンクに関する。
本発明は、第１６の態様において、前記第１５態様の発明に関して、前記一次または二次断熱壁及び密封壁及び上下部板材が接している部分は接着剤で接着することを特徴とする、液化天然ガスの保存タンクに関する。
【００４４】
本発明の一実施例によれば、
液化天然ガスを積載するタンクと;
前記タンク内に積載する液化天然ガスと直接接する一次密封壁と;
前記タンクと前記一次密封壁とを機械的に連結する多数の連結手段（即ち、アンカー構造体）と;
前記タンクと前記一次密封壁との間に位する中間壁構造体で構成され、
前記中間壁構造体は、前記タンク及び前記一次密封壁の中で少なくとも一つ以上に対して移動できることを特徴とする液化天然ガスの保存タンクが提供される。
【００４５】
前記中間壁構造体は、前記タンク及び前記一次密封壁の中で少なくとも一つ以上に対して水平方向に移動できることが望ましい。ここで、タンクというのは、断熱壁及び密封壁が設置される前の構造物を示す。また、前記中間壁構造体は多数の孔を有しており、その孔に前記連結手段が通るのを特徴とする。
【００４６】
本発明の他の実施例によれば、前記中間壁構造体は、
前記一次密封壁と直接接する一次断熱壁と;
前記タンクと直接接する二次断熱壁と;
前記一次断熱壁と二次断熱壁との間に位する二次密封壁とで構成されるのを特徴とする液化天然ガスの保存タンクが提供される。前記二次密封壁は前記中間壁構造体と前記連結手段との間を液密的に繋げていることを特徴とする。
【００４７】
また、前記中間壁構造体は、多数のモジュール（Modules）で構成されることができ、前記モジュールは前記タンクの平面部に位する多数の平面構造体とコーナー部に位する多数のコーナー構造体とで構成される。前記モジュールは予備組立体として製作されるのが望ましい。前記コーナー構造体は前記タンクに接着剤（P）で接着されており、前記一次密封壁に対してのみ移動が可能であり、前記平面構造体は前記一次密封壁及びタンクという両方に対して移動できるのが望ましい。前記液化天然ガスの保存タンクは船舶に設置することが望ましい。前記連結手段の上端部は前記一次密封壁と熔接で繋げることが望ましい。
【００４８】
本発明の他の実施例によれば、液化天然ガスの保存タンクに用いられる断熱モジュールとして、隣接するモジュール同士の組立が容易にできるようにするために、その下端部が突出しているのを特徴とする液化天然ガスの保存タンクの製造用のモジュールが提供される。上述のモジュールは、一次断熱壁と;上述の一次断熱壁の下部（外側）に接着剤（P）で接着される二次密封壁と;上述の二次密封壁の下部（外側）に接着剤（P）で接着される二次断熱壁とで構成されるのが望ましい。また、上述のモジュールは四角柱を成しており、一つ以上のコーナー部位は一部が切断された形象に形成される。上述の断熱壁はポリウレタンフォーム（Polyurethane Foam）で構成されるのが望ましい。また、上述のモジュールは一次断熱壁と;
上述の一次断熱壁の上部に附着される上部板材と;
上述の一次断熱壁の下部（外側）に附着される二次密封壁と;
上述の二次密封壁の下部（外側）に附着される二次断熱壁と;
上述の二次断熱壁の下部（外側）に附着される下部板材とで構成され、
上述の下部板材は上述の二次断熱壁の一つ以上の側面から延長してフランジ（突出部、Flange）を形成することを特徴とする液化天然ガスの保存タンク製造用のモジュールが提供される。上述の一次または二次断熱壁及び密封壁同士は接着剤（P）で接着されるのが望ましい。また、上述の二次密封壁は上述の一次及び二次断熱壁の一つ以上の側面から突出しているのが望ましい。また、上述の二次密封壁はモジュール同士に液密的に繋がっている。
【００４９】
上述のモジュールの中で、タンクの平面部に位する平面構造体の下端で突出しているフランジは、上述のアンカー部の下部（外側）とタンク底面との間に形成されている隙間に挿入されて上方向の移動は制限されるが水平方向はスライディング可能である。上述のアンカー部の下部（外側）とタンク底面との間に形成されている隙間は、下の実施例で説明するアンカー下部板とタンク底面との間に形成されている隙間を意味する。
【００５０】
本発明の他の実施例によれば、アンカーを利用した液化天然ガスの保存タンクが提供できる。このアンカーを利用した液化天然ガスの保存タンクは、
２個の連続する密封壁及び２個の断熱壁を含んでおり、上述の密封壁の中で一次密封壁は保存タンクに保存される液化天然ガスと直接接しており、その下部（外側）に一次断熱壁、二次密封壁及び二次断熱壁の順に配置される液化天然ガスの保存タンクにおいて、
上述の一次密封壁は上述のタンクの底面と機械的に締結したアンカー部によって支持され、
上述の一次断熱壁、二次密封壁及び二次断熱壁は、タンクの平面部においてその上下面が締結した複数の平面構造体（即ち、モジュール）で構成されて、上述の各平面構造体は上述の一次密封壁とタンクの底面との間に多少のスライディング（Sliding、即ち、水平移動）可能に設置される。ただし、タンク内の貨物の荷重に関してはアンカー部と断熱壁とが均等に受けるが、一次密封壁はアンカー部にのみ熔接されて支持されるので、断熱壁が一次密封壁に対して若干のスライディング（Sliding）ができる。
【００５１】
上述の各モジュールはそれぞれ上述の一次密封壁及びタンク底面の間で少なくとも前記一次密封壁及びタンク底面の一つに対してスライディング（Sliding）できるが、平面構造体だけが前記一次密封壁及びタンク底面の両方に対してスライディング（Sliding）できる。
【００５２】
タンクの設置される構造物が二重殻船舶の場合、上述の“タンクの底面（または内部面）”は、当然船体の側面及び下面の内部壁（内殻）とタンクの上部壁及び横隔壁を意味する。
【００５３】
ここで、スライディング（Sliding）というは、船舶の場合に波などによって船体に捩れが発生して、その捩れによって船体に屈曲が生じる場合、一次及び二次断熱壁で成り立つタンクの断熱システムは船体内壁に接しているため、上述の断熱システムにも屈曲応力が生じるが、その屈曲応力に対して断熱システムを破壊せずに下記の平面構造体のような断熱壁の各単位体が多少横方向に動くことができることを意味する。上述の断熱壁単位体というのは、本発明において主に予備組立体として形成された一次断熱壁、それに接着された二次密封壁及びそれに接着された二次断熱壁の単位体を意味する。
【００５４】
上述の一次断熱壁と二次断熱壁は、上述の二次密封壁の各上下部面に接着剤（P）で接着されて、予備組立体に形成されて、タンクの製造時に組立の単位になることが望ましい。本発明で予備組立体に製作されるのは、タンクのコーナー部に設置されるコーナー構造体と、タンクの平面部に設置される平面構造体とがある。上述の二次断熱壁というのは、ポリウレタンフォーム（Polyurethane Foam）材質の断熱材と、その下部面に接着されるプライウッド（Plywood）材質の板材とを含む。更に、上述の一次断熱壁というのは、ポリウレタンフォーム（Polyurethane Foam）材質の断熱材と、その上下部面に接着されるプライウッド（Plywood）材質の板材とを含む。また、上述の二次密封壁の材質はアルミニウムシーツまたは可撓性シーツ（Triplex、望ましくはRigid Triplex）にすることもできる。
【００５５】
一方、上述の二次密封壁は上述の一次断熱壁及び二次断熱壁の側面から突出しており、予備組立体（平面構造体）の各単位体を組み立てる際に隣接した予備組立体の二次密封壁またはアンカー部の二次密封壁と相互連結される。ここで、上述の一次密封壁の形象や材質は特に制限がなく、下記に記載した本出願人によって公開された特許及びTGZ社によって公開された特許に記載されたとおりにステンレス材質にすることもできて、しわ部（Corrugation）が形成されることもできる。また、上述の二次断熱壁の間に形成される側面空間部はポリウレタンフォーム（Polyurethane Foam）材質の断熱材で充填される。一方、上述の一次断熱壁の間に形成される側面空間部はグラスウール（Glass Wool）材質の断熱材で充填される。
【００５６】
また、上述の二次密封壁は上述の断熱壁が形成する空間部（即ち、断熱壁側面の間）へ延長して、上述の空間部において上述の二次密封壁の端部は上部固定板及び下部固定板によって繋がって、上述の上部固定板及び下部固定板の締結面は上述の二次密封壁の端部が挿入できるように形成された溝を含むことができる。ここで、上述の溝は屈曲に形成することができて、上述の下部固定板及び上部固定板の締結体はその縦方向に多少の屈曲が存在して、多少長めにして冷却による密封壁の収縮時にその応力を吸収することができる。
【００５７】
もう一つの実施例によれば、上述の二次密封壁は上部面と下部面に樹脂材が塗布されて、隣接する断熱壁が形成する側面空間部へ延長されて、上述の空間部には上述の二次密封壁の端部と接するように締結される上部連結部材及び下部連結部材を含めて、上述の上部耐熱部材及び下部連結部材の締結面にはそれぞれ形成される凹凸部が形成されて、上述の二次密封壁の上部面と下部面に塗布された樹脂材を圧搾しながら締結されるのが望ましい。このような締結方式は二次密封壁の密封特性をより向上させる。
【００５８】
二次密封壁の連結に関する本発明の他の実施例によれば、上述のタンク内部のコーナー部（Corner Part）に締結されるコーナー構造体と、上述のタンク内部の平面上においてスライディング（Sliding）移動ができるように位している平面構造体と、上述のタンクに締結されて上述の平面構造体を上述のタンク内部に付着させるアンカー構造体を含むことができる。
【００５９】
ここで、上述の平面構造体は、上述のコーナー構造体が固定されたコーナー部の突出部材によって一方が固定されて、上述のコーナー部の二次断熱壁と同一の高さで設置される平面部の二次断熱壁と、その上部面に形成される平面部の二次密封壁及びその上部面に形成される平面部の一次断熱壁で成り立つ予備組立体に製作するのが望ましい。
【００６０】
また、上述のアンカー構造体は、上述の平面構造体が合うコーナー部位に機械的に固定されるアンカー下部板に固定されるアンカー支持ロードと、上述のアンカー支持ロードに中心部が挿入固定されて、上述の平面部の二次断熱壁と同一の高さで設置されるアンカー部の二次断熱壁と、上述のアンカー支持ロードに中心部が挿入されてアンカー部の二次断熱壁の上部面に固定されながら、隣接した平面部の二次密封壁と機械的に取り付けられるアンカー部の二次密封壁と、上述のアンカー支持ロードに中心部が挿入されてアンカー部の二次密封壁の上部面に固定されるアンカー部の一次断熱壁と、上述のアンカー部の一次断熱壁の上部中心部である上述のアンカー支持ロードの上端部に固定される上部キャップを含むことができる。
【００６１】
上述の構造において、上述のアンカー下部板はこれに接する予備組立体の単位構造体の二次断熱壁の下部板材を上述のタンクの内部面に固定するように構成される。また、上述のアンカー部の二次密封壁は外周面部に形成されたしわ部を含むことができる。ここで、上述のアンカー部の二次密封壁は上述のアンカー部の一次断熱壁の断面より突出して面する予備組立体の二次密封壁と繋がる。また、上述のアンカー部の一次断熱壁とアンカー部の二次断熱壁は上述のアンカー部の二次密封壁の上下部面にそれぞれ接着剤（P）で接着される。
【００６２】
一方、上述のアンカー部の二次断熱壁は、ポリウレタンフォーム（Polyurethane Foam）の断熱材と、その上部面に接着されたプライウッド（Plywood）とを含むことができる。また、上述のアンカー部の一次断熱壁は、ポリウレタンフォーム（Polyurethane Foam）材質の断熱材と、その上下部面に接着されたプライウッド（Plywood）材質の板材とを含むことができる。予備組立体の二次断熱壁の下端に接着されたプライウッド（Plywood）板材はその側面部が突出してアンカー部を構成するアンカー下部板によってタンクの下部面に固定される。このような固定によって各断熱壁の縦方向の移動を防止する。横方向は固定しているが、若干の移動は可能である。
【００６３】
一方、上述のコーナー構造体は、上述のタンクの内部に形成される二つの面が合うコーナー地点にそれぞれ接するようにL形態に形成されるコーナー部の二次断熱壁と、その上部面に形成されるコーナー部の二次密封壁及びその上部面に形成されるコーナー部の一次断熱壁と、上述のコーナー部の一次断熱壁の上部面に保存タンクの荷重を支持するように、L形態のコーナー支持板が多く設置された予備組立体に製作されて、上述のタンクの内部面にそれぞれ形成されるコーナー部の突出部材で固定することができる。
【００６４】
上述のコーナー支持板は、熱による収縮及び伸長ができるようにするために、多少のスライディング（Sliding）移動ができるように設置することができる。また、上述のコーナー部の一次断熱壁及び二次断熱壁は上述の二次密封壁の上下部面にそれぞれ接着剤（P）で接着することができる。それと共に、上述の一次断熱壁、二次断熱壁及びコーナー支持板は予備組立体に製作することができる。
【００６５】
一方、上述のコーナー部の予備組立体（コーナー構造体）はタンクの内部面にそれぞれ形成されるコーナー部の突出部材で固定することができる。また、上述の二次密封壁は上述の一次断熱壁及び二次断熱壁の側面から突出したように形成されることができる。また、上述の一次断熱壁及び二次断熱壁の下部面には板材が形成されており、上述の板材はその端部が上述の断熱材から突出したように形成された上述の突出部材で固定台によってタンク下部面に固定される。また、二次断熱壁の下部面はタンク壁面に接着剤（P）で接着するのが望ましい。
【００６６】
また、上述のコーナー部の二次断熱壁及び一次断熱壁は、上述の二次断熱壁を貫通して突出する下部支持ロードの上端部と、上述の一次断熱壁を貫通する上部支持ロードの下端部を連結固定する連結補強台によって機械的に締結することができる。
【００６７】
それだけではなく、上述の下部支持ロードは、上述の二次断熱壁の下部面に固定されたロード支持キャップに挿入固定されて、二次断熱壁を貫通した後、その上端部が上述の連結補強台に固定されることができる。また、上述の上部支持ロードは、上述の一次断熱壁の下部に固定されながら上述の連結補強台に固定されたロード支持キャップに挿入固定されて、上述の一次断熱壁を貫通して上述のコーナー支持板を支持することができる。その支持方法は熔接で締結して支持するのが望ましい。上述のコーナー支持板の上部には、一次密封壁が位するようになり、一次密封壁及びコーナー支持板は熔接で締結される。このような構造によってコーナー部の一次密封壁は、タンクの底面に締結された下部支持ロード、下部支持ロードに締結された上部支持ロード、上部支持ロードと締結されたコーナー支持板によって安定的に支持される。また、上述のコーナー支持板は、多少厚目の厚板で構成されるので、非対称応力が発生するコーナー部の一次密封壁を安定的に支持することができる。また、上述のコーナー支持板は、コーナー部の一次断熱壁とは直接的な締結が弱くて、一次断熱壁に対して多少のスライディング（Sliding）ができるので、それによる一次断熱壁とコーナー支持板及び一次密封壁との温度変化による伸縮率の差による機械的応力の克服が可能である。
【００６８】
本発明における更に他の実施例によれば、上述のアンカー構造体は、上述の平面構造体が合うコーナー部位に機械的に固定されたアンカー下部板に固定されるアンカー支持ロードと、上述のアンカー支持ロードに中心部が挿入固定されて上述の平面部の二次断熱壁と同一の高さで設置されるアンカー部の二次断熱壁と、上述のアンカー支持ロードに中心部が挿入されてアンカー部の二次断熱壁の上部面に固定され隣接する平面部の二次密封壁に機械的に取り付けられるアンカー部の二次密封壁と、上述のアンカー支持ロードに中心部が挿入されてアンカー部の二次密封壁の上部面に固定されるアンカー部の一次断熱壁と、上述のアンカー部の一次断熱壁の上部中心部である上述のアンカー支持ロードの上端部に固定される上部キャップを含むことを特徴とする。
【００６９】
上述のアンカー下部板はそれに接する単位構造体の二次断熱壁の下部板材をタンクの内部面に固定する役目をする。上述のアンカー部の二次密封壁は外周面部にしわ部を含むのが望ましい。また、上述のアンカー部の一次断熱壁及びアンカー部の二次断熱壁は、上述のアンカー部の二次密封壁の上下部面にそれぞれ接着剤（P）で接着するのが望ましい。
【００７０】
アンカー部における更に他の実施例として、上述のアンカー構造体は、上述のタンクの内部に形成された空間の底面及び左右隔壁に一定間隔で設置されて締結孔が形成されたロード支持キャップが内蔵されたアンカーベース板を固定するアンカー下部板と、上述のロード支持キャップに垂直するように固定されるアンカー支持ロードと、上述のアンカー支持ロードに中心部が挿入固定されるアンカー部の二次断熱壁と、上述のアンカー部の二次断熱壁の上部面に固定されて上述のアンカー支持ロードに中心部が挿入固定されるアンカー部の二次密封壁と、上述のアンカー部の二次密封壁の上部面に固定されて上述のアンカー支持ロードに中心部が挿入固定されるアンカー部の一次断熱壁と、上述のアンカー支持ロードの上端部に固定されて上述のアンカー部の一次断熱壁を固定する上部キャップと、隣接配置される一次断熱壁の側部及び二次密封壁の上部面に固定されて、上述のアンカー部の一次断熱壁と所定距離を置いて締結して、隣接する上述の二次密封壁及び上述のアンカー部の二次密封壁の端部の上部に固定される平面部の連結断熱壁とを含むことを特徴とする。上述の平面部の連結断熱壁は隣接配置された各一次断熱壁の側面と隣接した二次断熱壁の上部に固定される二次密封壁の上部面に固定して、上述の平面部の連結断熱壁はその下部の上述の平面部の二次密封壁及びアンカー部の二次密封壁と接着剤（P）で固定することが望ましい。上述の平面部の連結断熱壁と上述のアンカー部の一次断熱壁との間の空間部には断熱材が充填される。上述の平面部の連結断熱壁はその下部に端が位する二次断熱壁を固定する役目も有する。
【００７１】
本発明による液化天然ガスの保存タンクの製造方法は、２個の連続する密封壁及び２個の断熱壁を含んでおり、上述の密封壁の中で一次密封壁は保存タンクに保存される液化天然ガスに面しており、その下部に一次断熱壁、二次密封壁及び二次断熱壁の順に配置された保存タンクを製造する方法において、上述のタンクの内部に形成されたコーナー部にそれぞれ突出部材を形成して、タンクの内部面に一定間隔ごとにアンカーベース板を付着固定する段階と、上述の形成されたコーナー部の突出部材を境にして二次断熱壁、二次密封壁、一次断熱壁及びコーナー部の支持板で予め組み立られたコーナー構造体を付着固定する段階と、上述の固定されたコーナー構造体を上述のコーナー部の突出部材に固定台として固定すると共に、上述のアンカーベース板の上部にアンカー下部板を固定して中央部にアンカー支持ロードを垂直に固定する段階と、上述のコーナー構造体を固定した固定台の片方に二次断熱壁、二次密封壁、一次断熱壁の順に予め組み立られた平面構造体の一側部を挿入固定して、上述の平面構造体の他側のコーナー部を上述のアンカーベース板及び上述のアンカー下部板が成す空間部に挿入固定する段階と、上述のコーナー構造体と平面構造体の二次断熱壁が形成する空間部を断熱材で充填すると共に、上述のアンカー支持ロードにアンカー部の二次断熱壁及びアンカー部の二次密封壁を挿入する段階と、上述のコーナー構造体の二次密封壁とそれに接する平面構造体の二次密封壁を固定して、上述の平面構造体の二次密封壁を相互固定すると共に、上述の平面構造体の二次密封壁と接する上述のアンカー部の二次密封壁を相互固定する段階と、上述のアンカー支持ロードにアンカー部の一次断熱壁を挿入した後、アンカー上部板及びアンカー断熱板材を付着固定して、上述のアンカー支持ロードの端部にアンカー上部キャップを付着固定して、アンカー構造体の組立を完了する段階と、上述のコーナー構造体、平面構造体とアンカー構造体が形成する一次断熱壁との間の空間部に断熱材で充填する段階と、上述のコーナー構造体、平面構造体及びアンカー構造体の上部面にしわ部を有する一次密封壁を付着固定する段階を含む。
【００７２】
上述のアンカーベース板の上部にアンカー下部板を固定して、中央部にアンカー支持ロードを垂直固定する段階は、上述のアンカーベース板にボルティング（Bolting）固定されたアンカー下部板の中央部に固定されたロード支持キャップに上述のアンカー支持ロードがボルティング締結して固定することができる。
【００７３】
上述のコーナー構造体と平面構造体の二次断熱壁が形成する空間部を断熱材で充填する段階は断熱材としてポリウレタンフォームを充填することができる。
【００７４】
また、上述のコーナー構造体の二次密封壁及びそれに接する平面構造体の二次密封壁を固定して、上述の平面構造体の二次密封壁を相互固定すると共に、上述の平面構造体の二次密封壁と接する上述のアンカー部の二次密封壁を相互固定する段階は上述の二次密封壁の下部に位する下部固定板と、その上部面と対面するように位する上部固定板とをボルティング締結することで固定することができる。ここで、上述のコーナー構造体の二次密封壁とそれに接する平面構造体の二次密封壁を固定して、上述の平面構造体の二次密封壁を相互固定すると共に、上述の平面構造体の二次密封壁に接する上述のアンカー部の二次密封壁を相互固定する段階は上述の二次密封壁をボルティング締結する下部固定板と、その上部面と対面するように位する上部固定板に形成された曲面部位によって曲面形象に固定することができる。
【発明の効果】
【００７５】
上述のとおりに、本発明による液化天然ガスの保存タンクは、超低温状態の液体である液化天然ガスを輸送する船舶内部に設置される保存タンクの設置構造をより単純化して組立工程を短縮させると共に、保存タンクの液密性を堅固に維持しながら液化天然ガスの積載または荷役による機械的変形に対する応力をより容易く解消して、信頼性の高い船舶用、車両用、陸上用タンクを提供することができる長所を有している。
【００７６】
特に、タンク内の貨物の荷重に対してはアンカー部と断熱壁とが均等に受けるが、一次密封壁はアンカー部にのみ機械的に結合されて支持されるので、断熱壁が一次密封壁に対してスライディング（Sliding）ができる。このスライディングにより、船舶に波などによって船体に捩れが発生し、その捩れによって船体に屈曲が生じる場合にも、タンク内部の断熱システムを破壊されない効果がある。
【００７７】
上に記載した本発明のLNG用タンクは、貨物の流動がある自動車、船舶に設置される液化天然ガスの保存タンク、流動がほとんどない陸上型タンクなどを含めており、本発明に基づくタンクは上述の船舶、陸上用のタンク、車両などに設置することができる。
【００７８】
また、本発明は超低温状態の液体である液化天然ガスを輸送する船舶の内部に設置される保存タンクの平面構造体を連結するアンカー部の構造を単純化して組立工程を縮めると共に、隣接する平面構造体の連結をより結束させることによってアンカー部の液密性を堅固に維持する。それと共に、船舶の航海時に波などによって船舶船体に捩れが発生した場合、本発明による断熱システムでは一次密封壁がアンカー部に直接繋がっているが、各断熱壁とは直接的な連結が弱くて、各断熱壁が一次密封壁に対して多少のスライディングができて、上述の船体が捩れに順応できるので、断熱システムの破壊が発生しない。
【００７９】
また、本発明は超低温状態の液体である液化天然ガスを保存するタンク内部に設置されるタンクのコーナー構造を単純化して組立工程を縮めると共に、コーナー部の液密性を高度に維持する一方、コーナー部を支持することができる厚板材を設置することで保存タンクの機械的/熱的収縮及び膨脹による応力をより容易く解消して信頼性の高い船舶が提供できる長所がある。
【００８０】
また、本発明は上述の平面部の連結断熱壁とその下の二次密封壁との接着剤（P）による締結と、各上下連結部材の締結構造によってアンカー部の周辺における二次密封壁の締結構造がより改善されて、液密性及び安全性がより増加する效果を有している。
【発明を実施するための最良の形態】
【００８１】
以下、添付された図面を参照して本発明の構成を詳細に説明する。
【００８２】
本発明は液化天然ガスの保存タンクとして、高圧、超低温状態の液化天然ガスを保存する。そのために、液化天然ガスの保存タンクは耐衝撃性及び液密性が堅固に維持される構造を成している。
【００８３】
貨物の流動のある自動車、船舶に設置される液化天然ガスの保存タンクは、流動のほとんどない陸上型タンクに比べて貨物の流動による機械的応力に対する対備策を工夫しなければならないという点においては違いがある。しかし、機械的応力に対する対備策が用意された船舶に設置される液化天然ガスの保存タンクは当然陸上型タンクにも使われることができるので、本発明の明細書には船舶に設置された液化天然ガスの保存タンクの構造を一例として説明する。
【００８４】
図３９は本発明の一実施例に基づいてLNGタンクが設置された例示的な船舶３９００の断面図である。船舶３９００は船舶の外形を形成する船体外部壁（外殻）３９０１と船体内部壁（内殻）３９０３の二重殻船体で成り立っている。船体内部壁と船体外部壁は３９０５によって繋がっており、一体に形成される。場合に応じては船体内部壁３９０３が存在しないこともある。
【００８５】
また、船舶３９００の上部は図３９に図示したものとは異なって単一層の甲板に形成されることもある。船体内部壁３９０３の内部は一つ以上の隔壁３９０７によって分割されることもできる。隔壁３９０７は従来のLNGに公知されているようにコファダム（Cofferdam）を形成することもできる。
【００８６】
各内部空間３９１１は液化天然ガスのような超低温液体を積載するタンクを構成することができる。例として、船舶３９００の左側から２番目の空間にタンクを設置した概念図で説明する。一次密封壁２５０はLNGを一次的に液密する密封壁としてLNG３９１３と接しており、従来公知されたとおりに超低温状態のLNGの船荷積による温度変化に対応するためにしわ部（Corrugation）が形成される場合がある。一次密封壁２５０は多数のアンカー構造体あるいは連結手段３９１５によって船舶内部壁３９０３あるいは隔壁３９０７に繋がっている。一次密封壁２５０とタンクを構成する船体内部壁３９０３との間には中間壁構造体３９１７が位している。中間壁構造体３９１７（２００a、２００b）は船体内部隔壁あるいは船体内部壁と一次密封壁２５０との間に位しており、これらはモジュール（Modules）に構成されており、コーナー部に位するコーナー構造体３９１７（１００）と、平面部に位する平面構造体３９１７（２００）とで構成される。
【００８７】
図３９は理解を助けるために、実際のLNGタンクにおけるものよりモジュールを拡大図示した。各中間壁構造体３９１７は実際は個数が結構多くて、相互繋がっている。
【００８８】
図４０は図３９で図示した円３９２３の拡大図である。図示した例で中間壁構造体３９１７（平面構造体２００a、２００b、及びコーナー構造体１００）は一次断熱壁２０４、５１、二次断熱壁２０２、５３及び二次密封壁２０３、５２を含んでいる。各中間壁構造体は一つ以上の更に別の機能層を有することができる。本発明の一実施例によれば、上述の中間壁構造体３９１７の各単位モジュール（２００、１００）の各密封壁及び各断熱壁の接触面は接着剤（P）で接着して一体型に形成する。また、中間壁構造体３９１７の下部の二次断熱壁２０２、５２の下端部にはフランジ（Flange）が形成されている。通常、二次断熱壁は絶縁性物質であるPUF（ポリウレタンフォーム）とその下部に附着した板材で構成されて、この板材がPUF（ポリウレタンフォーム）より増大してフランジ（Flange）を形成する。一次断熱壁はPUFとその上部に接着剤（P）で附着された板材で成り立つ。
【００８９】
図示した例で各アンカー構造体３９１５はアンカー支持ロード１１２a、１１２b、下部に位している固定部材１１３a、１１３b、上部空間３９２９、３９３１に入れられる一次断熱壁（未図示）を有する。アンカー支持ロード１１２a、１１２bの一末端は一次密封壁２５０に繋がっており、他の末端は船体内部壁（３９０３）に繋がっている。このようなアンカー構造体の連結関係は下記の他の実施例で詳細に説明する。アンカー構造体３９１５はタンクを成す船体内部壁または隔壁と一次密封壁２５０とを繋げる。
【００９０】
また、アンカー構造体３９１５は、隣接した各中間壁構造体のモジュールの１００、２００a、２００bの連結地点に位しており、これらを繋げて、中間壁構造体をタンクを成す船体内部壁または隔壁に固定する。他の実施例において中間壁構造体の中でコーナー構造体及び平面構造体はアンカー構造体以外の手段によって船体内部壁または隔壁に固定されることができる。それについては後で詳細に説明する。更に他の実施例として、アンカー構造体３９１５は単一体の中間壁構造体の壁に形成された孔に位することもできる。
【００９１】
アンカー構造体３９１５の固定部材１１３a、１１３bはアンカー支持ロード１１２の周りに設置される。空間部３９２９及び３９３１はPUF（ポリウレタンフォーム）のような絶縁性物質が入れられる。固定部材１１３a、１１３bの下部には凹が形成されて、二次断熱壁２０２及び５３の下部に突出したフランジ（Flange）３９２５をタンクに密着させる。このような構造によって中間壁構造体３９１７の中で平面構造体２００は一次密封壁２５０の下部において一次密封壁に対して水平には多少の移動ができるが、垂直方向への移動が制限される。固定部材１１３aの下部凹３９２７と二次断熱壁２０２のフランジ３９２５との間には多少の空間が存在することができ、また固定部材１１３aと二次断熱壁２０２との間にも多少の空間が存在できて、図４０で平面構造体２００aは左右に水平移動ができる。もちろん図４０で平面構造体２００aは前後方向（上述の左右に垂直方向）にも水平移動が可能である。一方、中間壁構造体３９１７の中でコーナー構造体１００はタンクと接する面が接着剤（P）で接着固定されるので、船体内部壁及び隔壁に固定されて移動が自由ではなく、ただ該上部の一次密封壁２５０は上述のコーナー構造体１００に対して多少の移動ができるようになる。もちろん一次密封壁２５０がアンカー構造体によって船体に繋がっているが、一次密封壁はアンカー構造体の上部に熔接締結してもアンカー構造体の下部と船体との連結を多少の動きができるように熔接ではない方法で繋げれば、一次密封壁がコーナー構造体（または船体）に対して多少の移動ができると考えられる。これに対する具体的な実施例については下記の他の実施例で説明する。
【００９２】
図４０において二次密封壁５２、２０３及び３９３３は図４１に図示したとおりに液密的に繋がっている。また、多数のモジュール１００、２００相互間においても二次密封壁は液密的に繋がっている。
【００９３】
アンカー構造体３９１５のアンカー支持ロード１１２aには適当な締結部材、図４１の実施例においては二つのナット３９３６、３９３７によってアンカー構造体の二次密封壁３９３３が固定されている。隣接する中間壁構造体の二次密封壁５２、２０３とは適当な連結部材２１２とスクリュー（Screw）２１４によって液密的に繋がるようになる。連結部材２１２と二次密封壁の接する面は接着剤（P）を塗布して液密性を増大させることができる。また、液密性を増大させるために、連結部材２１２の上下接合面には屈曲部３９３５が形成されることができる。アンカー構造体３９１５の二次密封壁３９３３のまわりにはしわ部１１５が形成されて、隣接する平面構造体の水平移動時に発生する二次密封壁の伸縮または凝縮応力を吸収することができる。
【００９４】
また、上述の連結部材２１２による二次密封壁間の連結は、隣接する平面構造体の密封壁間の連結、平面構造体とコーナー構造体の密封壁間の連結にも同じく適用される。
【００９５】
本発明における更に他の実施例によれば、液化天然ガスの保存タンクは船舶の船体内部に形成された面に隣接するように設置される二次断熱壁と、その上部面に形成される二次密封壁及びその上部面に形成される一次断熱壁を含んでおり、本発明においてはそのようなタンクを船舶の外部で予備組立体としてそれぞれコーナー構造体、平面構造体を予め製作してタンクの内部空間に組み入れるのが望ましい。
【００９６】
即ち、予め製作されたコーナー構造体を船体内部に先に固定した後、これを基準に平面構造体を組み立てて、これらの平面構造体の固定はタンクの組立現場にてアンカー構造体を組み立てることで成り立つ。
【００９７】
図６は本発明の一実施例による液化天然ガスの保存タンクを構成するコーナー構造体の内部構造を図示した断面図で、図７は本発明の一実施例による船舶の内部に設置される液化天然ガスの保存タンクのコーナー構造の連結関係を図示した全体斜視図である。また、図８は本発明の一実施例による船舶の内部に設置される液化天然ガスの保存タンクのコーナー構造を図示した部分拡大断面斜視図である。
【００９８】
本発明の一実施例によるコーナー構造体（１００）は、図６ないし図８に図示したとおりに、船舶の船体面が合うコーナー地点にそれぞれ接するようにコーナー部の二次断熱壁（５３）がL形態に形成されて、その上部面にコーナー部の二次密封壁（５２）が同一の形態に付着固定されて、またその上部面にコーナー部の一次断熱壁（５１）が形成される構造として予め組み立てられたものである。ここで、上述のコーナー部の一次断熱壁（５１）とコーナー部の二次断熱壁（５３）は上述のコーナー部の二次密封壁（５２）の上下部面にそれぞれ接着剤（P）で接着して堅固に密着固定するのが望ましい。
【００９９】
上述で説明したコーナー支持板（５０）、一次及び二次断熱壁（５１、５３）、二次密封壁（５２）と上述の上部及び下部支持ロード（７０、６０）の連結関係をより詳細に説明すると、次のとおりである。
【０１００】
液化天然ガス（LNG）を保存するための船舶の内部は、本発明のコーナー構造が設置できる空間を形成するように、下部底面（１、二重殻船体の内殻）及びそれと一体型に横隔壁（２）が形成されており、本発明は上述の下部底面（１）と左右あるいは横隔壁（２）が所定の角度で合う地点に設置されるコーナー構造に関するものである。従って、二次断熱壁の形象はタンクの模様及びコーナーの位置によってタンク面の接続角度が異なるので、その模様はL字より更に広がることもある。
【０１０１】
上述のとおりに、上述の下部底面（１）と隔壁（２）が所定の角度で合う地点には上述の下部底面（１）及び隔壁（２）と面接するL型の二次断熱壁（５３）が形成される。本発明で‘一次’及び‘二次’という用語の使用は、保存タンクに保存される液化天然ガスを基準にして液化天然ガスを一次的に密封または断熱する機能を有しているか、二次的に密封または断熱する機能を有しているかに対する区分の基準として駆使されたものである。
【０１０２】
上述の二次断熱壁（５３）は、ポリウレタンフォーム（Polyurethane Form）材質の二次断熱材（５８）と、その下部面に接着されたプライウッド（Plywood）材質の二次断熱壁の板材（５６）に形成されるので、上述の二次断熱壁の板材（５６）は船体内部に形成された下部底面（１）及び隔壁（２）に接するようになる。断熱壁の構成方法や形象、材質などに関しては米国特許第４,７４７,５１３号明細書、国際公開第８９０９９０９号パンフレット、米国特許第５,５０１,３５９号明細書、米国特許第５,５８６,５１３号明細書、日本特許公開第２０００-０３８１９０号公報、米国特許第６,０３５,７９５号明細書、日本特許公開第２００１-１２２３８６号明細書、などに公知されており、上述の特許に記載されている内容を本発明の明細書の一部とし、これらの技術を本発明でも使うことができる。
【０１０３】
上述の二次断熱壁（５３）が形成されると、その上部面に二次密封壁（５２）が位するようになる。その二次密封壁（５２）は保存タンクに保存された液化天然ガスの漏出ガスを二次的に遮断する機能を有する。そのような上述の二次密封壁（５２）の下部面に上述の二次断熱壁（５３）の二次断熱材（５８）の上部面が接着剤（P）で接着するようにする。このような二次密封壁（５２）の材質はアルミニウムシーツまたは可撓性シーツ（所謂‘Triplex’）が望ましい。
【０１０４】
上述の米国特許第６,０３５,７９５号明細書ではFlexible Triplexについて記載されているが、本発明ではより硬いRigid Triplexを使うのが望ましい。
【０１０５】
上述のように、二次断熱壁（５３）と二次密封壁（５２）の締結が行われると、その上部面に形成される一次断熱壁（５１）との固定のための下部支持ロード（６０）が上述の二次断熱壁（５３）と二次密封壁（５２）を貫通するようになる。
【０１０６】
即ち、上述の二次断熱壁（５３）には、上述の下部支持ロード（６０）が貫通できる貫通ホール（hole）が一定間隔に形成され、二次断熱壁板材（５６）に形成された貫通ホールの下部には上述の下部支持ロード（６０）の下部が堅固に固定できるロード支持キャップ（CAP）（６１）が挿入されて上述の二次断熱壁板材（５６）に支持される。
【０１０７】
上述のロード支持キャップ（６１）に下部支持ロード（６０）が挿入されて、二次断熱壁（５３）を貫通した後、上述の下部支持ロード（６０）の下部はロード支持キャップ（６１）の内部にて固定ナット（６２）で堅固に固定される。
【０１０８】
また、上述の二次断熱壁（５３）を貫通した上述の下部支持ロード（６０）の上部は、二次断熱壁（５３）の上部面に固定された二次密封壁（５２）を貫通するようになって、その二次密封壁（５２）は下部支持ロード（６０）の上部に取り付けられる支持ナット（６３）と密封壁固定ナット（６４）によって下部支持ロード（６０）の上に固定される。
【０１０９】
上述のとおりに、二次断熱壁（５３）及び二次密封壁（５２）を貫通して固定される下部支持ロード（６０）の上端部は一次断熱壁（５１）の下部を貫通して固定される。
【０１１０】
即ち、上述の一次断熱壁（５１）は、二次断熱壁（５３）の上部面に固定された二次密封壁（５２）に接して付着固定されたものであり、その構成は上述の二次密封壁（５２）に接して接着剤（P）などによって付着固定される一次断熱壁（５１）の下部板材（５５）とその上部面に形成される一次断熱材（５７）及びその上部面に付着固定される一次断熱壁（５１）の上部板材（５４）で構成される。上述の一次断熱壁の上部及び下部板材（５４、５５）はプライウッド材質であり、一次断熱材（５７）はポリウレタンフォーム材質である。
【０１１１】
この際に上述の下部支持ロード（６０）が貫通する一次断熱壁（５１）の下部板材（５５）の上には後述する上部支持ロード（７０）との固定のために連結補強台（９０）が位するようになる。即ち、上述の二次断熱壁（５３）及び二次密封壁（５２）を貫通して固定された下部支持ロード（６０）の上端部が上述の一次断熱壁（５１）の下部板材（５５）の上に位する連結補強台（９０）を貫通してボルト-ナット締結方式に固定される。
【０１１２】
上述の連結補強台（９０）には多数の（本発明の図面では一番の）上部支持ロード（７０）の下部が固定されて、固定方式は連結補強台（９０）の下部面に熔接のような方式で固定されたロード支持キャップ（７１）に上部支持ロード（７０）が挿入された後で固定ナット（７２）で固定する方式である。
【０１１３】
従って、二次断熱壁（５３）及び二次密封壁（５２）を貫通する下部支持ロード（６０）の上端部と一次断熱壁（５１）を貫通する上部支持ロード（７０）の下端部が堅固に固定される。
【０１１４】
また、図６の（a）においては、上述の上部支持ロード（７０）は一次断熱壁（５１）とその上部板材（５４）が固定されて支持され、この一次断熱壁（５１）の上部板材（５４）の上部面に上述の保存タンクの非対称荷重が受けられるようにL型のコーナー支持板（５０）が位して支持される。ここで、上述のコーナー支持板（５０）は、熱による収縮及び伸長ができるように、上述の一次断熱壁（５１）の接着剤（P）で締結せずにスライディング移動ができるように機械的に締結する。このようなコーナー支持板（５０）の上に後述する一次密封壁（２５０）が熔接などの方法で締結されて位するようになる。
【０１１５】
上部支持ロード（７０）とコーナー支持板（５０）の締結方法に関する更に他の実施例として図６の（b）を挙げる。即ち、上部支持ロード（７０）は一次断熱壁（５１）とその上部の上部板材（５４）を貫通してコーナー支持板（５０）に直接締結して、コーナー支持板（５０）を支持する。この際に上部支持ロード（７０）はコーナー部の一次断熱壁（５１）との間に少し空間が存在して、上述のコーナー支持板（５０）と一次断熱壁（５１）との間には接着剤（P）などによる直接的な締結がないので、上述のコーナー支持板（５０）は一次断熱壁（５１）に対して多少のスライディング（Sliding）可能である。このようなスライディングは一次断熱壁（５１）とコーナー支持板（５０）との間に材質の相違による温度変化に伴う伸縮率の差を解消してくれる。
【０１１６】
また、このような構造によって、コーナー部の一次密封壁は、タンクの底に締結された下部支持ロード（６０）、上述の下部支持ロード（６０）に締結された上部支持ロード（７０）、上述の上部支持ロード（７０）と締結したコーナー支持板（５０）によって安定的に支持される。また、上述のコーナー支持板（５０）は少し厚目の厚板で構成されるので、非対称応力が発生するコーナー部の一次密封壁を安定的に支持することができる。
【０１１７】
また、本発明のコーナー構造体（１００）を形成する上述の二次密封壁（５２）の材質はアルミニウムシーツまたは可撓性シーツ（Triplex）の材質であり、上述のコーナー部の二次密封壁（５２）は上述のコーナー部の一次断熱壁（５１）及びコーナー部の二次断熱壁（５３）の側面でより突出するように形成されて、後工程で隣接する平面部の予備組立体の二次密封壁（２０３）に取り付けられるようにする。
【０１１８】
本発明による液化天然ガスの保存タンクを構成する平面構造体を図示した斜視図の図９を参照すると、本発明を構成する上述の平面構造体（２００）は船体の外部で予め組み立られた状態で船体の内部へ導入されて、このような平面構造体（２００）の構造は上述のコーナー構造体（１００）と類似の構成で構成されており、平面部の一次断熱壁（２０４）の上部にはプライウッド材質の上部板材（２０５）が設置される。
【０１１９】
即ち、船体内部面（１）に接する平面部の二次断熱壁（２０２）には、下部板材（２０１）が用意されて、その上部面にポリウレタンフォーム材質の平面部の二次断熱壁（２０２）が附着されて、その上部面にまたアルミニウムシーツあるいは可撓性シーツ（Triplex、望ましくはRigid Triplex）材質の平面部の二次密封壁（２０３）が附着されて、また、その上部面にポリウレタンフォーム材質の平面部の一次断熱壁（２０４）及びプライウッド材質の上部板材（２０５）が附着される仕組みになっている。
【０１２０】
また、上述の平面部の二次断熱壁の下部板材（２０１）と二次密封壁（２０３）は、一次及び二次断熱壁（２０２、２０４）の側面から少し突出しており、後工程で隣接する平面構造体（２００）またはコーナー構造体（１００）と互いに締結して固定されるようになって、コーナー構造体（１００）と隣接する反対面のコーナー部位は本発明のアンカー構造体（１５０）によって組み立てられて、固定されるように一部が切断された形象に形成される。このような構造で構成される本発明の平面構造体（２００）の高さは隣接するコーナー構造体（１００）の高さと同一になるように製作される。
【０１２１】
図１０は船体内壁に突出部材及びスタッドピン（Stud Pin）（１０９）を設置した斜視図で、図１１は図１０の突出部材にコーナー構造体を挿入した斜視図で、図１２は図１１のコーナー構造体を固定した斜視図で、図１３は図１２のコーナー構造体と接する平面構造体を配置した斜視図で、図１４は図１３の平面構造体が固定された後でアンカー支持ロードを締結した斜視図で、図１５は図１４のアンカー支持ロードにアンカー部の二次断熱壁及びアンカー部の二次密封壁を設置した斜視図で、図１６は船体内壁に複数の平面構造体を固定した斜視図で、図１７は図１６の平面構造体に図示されたアンカー部の二次密封壁を固定した斜視図で、図１８は図１７のアンカー部の二次密封壁の上部にアンカー部の一次断熱壁を挿入した斜視図で、図１９は図１８のアンカー部の一次断熱壁（１１６）上部の溝にアンカー上部版（１１７）を入れた斜視図で、図２０は図１９のアンカー部の一次断熱壁の上面にアンカー断熱板材を設置した斜視図で、図２１は図２０のアンカー断熱板材をアンカー上部キャップで固定した斜視図で、図２２は一次断熱材が入れられた斜視図で、そして、図２３は図２２に一次密封壁が設置された斜視図である。
【０１２２】
下記には、本発明の一実施例による液化天然ガスの保存タンク及びそのようなタンクが設置される過程を図１０ないし図２３を参照して詳細に説明する。
【０１２３】
本発明による液化天然ガスの保存タンクは、船体の下部底面（１、二重船体の内殻）及びそれと左右あるいは横方向に垂直あるいは一定角度に延長して形成された左右側壁あるいは横隔壁（２）に設置される。
【０１２４】
まず、コーナー構造体（１００）が固定できるコーナー部の突出部材（８０、８１）を下部底部（１）及び横隔壁（２）に固定する。この際に上述のコーナー部の突出部材（８０、８１）を固定する方法としては熔接による方法が適当であり、コーナー部からの間隔は組立が完了したコーナー構造体（１００）が挿入できる程にする。このように、コーナー部の突出部材（８０、８１）の間に挿入されるコーナー構造体（１００）は上述の突出部材（８０、８１）との間に所定の隙間が形成される。
【０１２５】
上述の突出部材（８０、８１）の間に図１０ないし図１２に図示したとおりに上述のコーナー構造体（１００）が装着されると、上述の突出部材（８０、８１）に固定台（１０１）を固定するようになる。
【０１２６】
この際に固定する方式は上述の固定台（１０１）を上述の突出部材（８０、８１）にボルティング固定する方式を採用する。上述の固定台（１０１）は上述の突出部材（８０、８１）とコーナー構造体（１００）との間の隙間に当たる突起が形成されて、上述の固定台（１０１）の固定時に上述のコーナー構造体（１００）と突出部材（８０、８１）との間の隙間が埋められて、流動が防止できるようにするのが望ましい。上述の船体内部の下部底部（１）または隔壁（２）とコーナー構造体（１００）の下面はボンディング（Bonding）によって締結されて、二次的には上述の内部の突出部材（８０、８１）には本発明のコーナー構造体（１００）が付着して、固定される。
【０１２７】
また、それと共に図１３に図示したとおりに、上述のコーナー構造体（１００）から連続的に設置される平面構造体（２００）を相互固定するためのアンカー構造体（１５０）のアンカーベース板（１１０）を下部底部（１）及び隔壁（２）面に一定間隔に固定する。
【０１２８】
このために、船体内部面に一定間隔に一群のスタッドピン（１０９）を設置する。この際に上述のスタッドピン（１０９）は上述の下部底面（１）または隔壁（２）に接触される部分を尖らせる加工をした後、加圧状態で熔接して、上述のスタッドピン（１０９）が船体内壁面に熔接される。
【０１２９】
次に、上述のスタッドピン（１０９）には、上述のスタッドピン（１０９）と対応する貫通孔が形成されて、上述のスタッドピン（１０９）に挿入されるアンカーベース板（１１０）を挿入する。この際に上述のアンカーベース板（１１０）は船体内壁面に熔接またはボンディング（Bonding）によって締結するようにする。また、上述のアンカーベース板（１１０）の厚さは上述の平面部の二次断熱壁の下部板材（２０１）の厚さと同一である。
【０１３０】
引き継いで、図１４に図示したとおりに、上述の平面部の二次断熱壁の下部板材（２０１）の突出部を覆うことができるように上述のアンカーベース板（１１０）の上部にアンカー下部板（１１１）を締結する。そのために、上述のアンカー下部板（１１１）には、上述のスタッドピン（１０９）と対応する位置に貫通孔が形成されて、上述のアンカー下部板（１１１）を貫通したスタッドピン（１０９）にはナットが締結されることによって上述のアンカーベース板（１１０）の固定が行われる。
【０１３１】
このように、上述の平面構造体（２００）はその下部板材（２０１）が上述の固定台（１０１）または上述のアンカー下部板（１１１）によって固定されて、上方向の移動が制限されるが、水平方向は多少のスライディング（Sliding）可能である。即ち、アンカー下部板（１１１）は予備組立体として形成された平面構造体（２００）が上向に移動するのを防止する。
【０１３２】
次に、図１４と図１５に図示したとおりに、上述のアンカー下部板（１１１）の中央部にアンカー支持ロード（１１２）を垂直に固定する。
【０１３３】
そのために、上述のアンカー下部板（１１１）の中央部には所定の溝が形成される。また、上述のアンカー下部板（１１１）の下部にアンカーベース板（１１０）が位する。
【０１３４】
この際に上述のアンカーベース板（１１０）には上述のスタッドピン（１０９）に対応する複数の貫通孔が形成されて、上述のスタッドピン（１０９）に貫通孔を通らせて上述のアンカーベース板（１１０）を設置する。次に、上述のアンカーベース板（１１０）を貫通したスタッドピン（１０９）をナットで取り付けて、上述のアンカーベース板（１１０）を固定するようになる。
【０１３５】
一方、上述のアンカー下部板（１１１）の溝には上述のアンカーベース板（１１０）の中央に形成されたホールを通ってロード支持キャップ（１２０）が設置される。上述のロード支持キャップ（１２０）は、内部にナットが含まれていたり、あるいはナットの構造が一体に形成されたものであり、本発明においては上述のロード支持キャップ（１２０）の中央部がナット加工されており、上述のロード支持キャップ（１２０）に上述のアンカー支持ロード（１１２）が垂直に締結する方式を取るようになる。
【０１３６】
ここで、上述のロード支持キャップ（１２０）及びナットは図８に図示したロード支持キャップ（６１）及び固定ナット（６２）と類似している方式である。
【０１３７】
ここで、上述のアンカー支持ロード（１１２）は上部または下部で熱伝逹が発生し得るが、設計時に上述のアンカー支持ロード（１１２）の直径及び他の部品としての熱伝逹率を考慮して、タンク内の液化天然ガスから船体への熱伝逹を最小化することが望ましい。
【０１３８】
このようなアンカー支持ロード（１１２）は後工程で附着する一次密封壁から発生する荷重を一次的に支持する役目をするようになり、断熱壁の予備組立体（平面構造体）は一次密封壁及び接着剤（P）などによって直接的な結合がほとんどないので、従来の断熱壁とは異なって一次密封壁に対して多少のスライディングが許容されるので、船体の変形などに対するタンク構造の安全性が増大する。
【０１３９】
上述のような固定方式で本発明のアンカー下部板（１１１）及びアンカー支持ロード（１１２）を中心にして各平面構造体（２００）を固定するようになる。この際に上述の平面構造体（２００）の下部板材（２０１）は上述の船体内部面（１）と上述のアンカー下部板（１１１）とが形成する隙間に入れられて固定される。
【０１４０】
上述の平面構造体（２００）は、船体外部にて予め組み立てられた状態で船体内部へ導入されるものであり、このような平面構造体（２００）の平面部の一次断熱壁（２０４）の上部には上部板材（２０５）が接着される。
【０１４１】
即ち、船体内部面（１）に面する平面部の二次断熱壁の下部板材（２０１）が用意されており、その上部面にポリウレタンフォーム材質の平面部の二次断熱壁（２０２）が附着されて、その上部面に再びアルミニウムシーツまたは可撓性シーツ（Triplex）材質の平面部の二次密封壁（２０３）が附着されて、またその上部面にポリウレタンフォーム材質の平面部の一次断熱壁（２０４）及びその上部面にプライウッド材質の上部板材（２０５）が附着される構造で成り立つ。
【０１４２】
また、上述の平面部の二次断熱壁の下部板材（２０１）及び二次密封壁（２０３）は、一次及び二次断熱壁（２０２、２０４）の側面から多少突出しており、後工程で隣接する平面構造体（２００）またはコーナー構造体（１００）の二次密封壁と相互締結して固定されるようになり、コーナー構造体（１００）と接する反対面のコーナー部位は本発明のアンカー構造体（１５０）によって組立及び固定されるようになり、一部が切断された形象に形成されている。このような構造で成り立つ本発明における平面構造体（２００）の高さは隣接するコーナー構造体（１００）の高さと同一になるように製作される。
【０１４３】
本発明において予め組み立てられた平面構造体（２００）が船体内部面に固定される方式は、コーナー構造体（未図示）を突出部材に固定する固定台の他側に平面部の二次断熱壁（２０２）の側面から突出した平面部の二次断熱壁の下部板材（２０１）が挿入されると共に、上述のコーナー構造体（１００）と接する反対面のコーナー部位から突出した平面部の二次断熱壁の下部板材（２０１）が船体内部面（１）に固定された金属材質のアンカーベース板（１１０）及びこの上部面に固定されたプライウッド材質のアンカー下部板（１１１）が形成する隙間に挿入される方式で固定する。
【０１４４】
上述のとおりに、本発明のアンカー構造体を形成するアンカー下部板（１１１）及びアンカー支持ロード（１１２）を中心に上述の平面構造体（２００）が挿入固定されると、図１５及び図２９に図示したとおりに、アンカー部の二次断熱壁（１１３）が挿入される。そのアンカー部の二次断熱壁（１１３）の上部面には周りに円形のしわ部（１１５）が形成されたアンカー部の二次密封壁（１１４）が位するようになり、これらの二次密封壁（１１４）はアンカー支持ロード（１１２）に形成された板材（１２１）によって支持されて、挿入後は支持ロード（１１２）にボルティング締結される固定ナット（１２３）によって堅固に固定される。
【０１４５】
このような平面構造体（２００）の位置が固定されると、図１５ないし図２２に図示したとおりに、コーナー構造体（１００）及び平面構造体（２００）の二次断熱壁（５３、２０２）が形成する空間部をポリウレタンフォーム材質の断熱材で充填すると共に、上述のアンカー支持ロード（１１２）にアンカー部の二次断熱壁（１１３）及びアンカー部の二次密封壁（１１４）を挿入するようになる。
【０１４６】
上述のアンカー部の二次断熱壁（１１３）は、ポリウレタンフォーム材質の断熱材及びプライウッド材質の板材になっていて、断面が四角で、その上部面に付着固定されるアンカー部の二次密封壁（１１４）はアルミニウムシーツまたは可撓性シーツ（Triplex）材質になっている。
【０１４７】
前述のとおりに構成されたLNG保存タンクは、船舶の移動時に波等で船体が曲がる現象による部分的な応力が発生して、それによって船体に変形が生じると、断熱材及び二次密封壁に課される応力が増加する。このように、上述の密封壁に発生する応力を減少させるために、上述のアンカー部の二次密封壁（１１４）には図２３に示したとおりに円形のしわ部（１１５）が形成される方がいい。即ち、上述のしわ部（１１５）は上述の平面構造体（２００）のスライディング移動時に上述の平面構造体（２００）がスライディング移動する方向へ伸長または収縮して断熱材または密封壁に与えられる機械的または熱的変形を防止する。
【０１４８】
また、断熱壁層に生じる応力によって上述の平面構造体（２００）間の連結が行われる傾向がある。この際に本発明に基づく保存タンクの平面構造体（２００）は、上述のアンカー構造体（１５０）のアンカー下部支持板（１１１）にかかっているので、離脱が防止される状態で多少のスライディング移動が可能である。
【０１４９】
上述の理由によって、船体に応力が発生する場合、上述のコーナー構造体（１００）は固定されたままの状態だが、各平面構造体（２００）は船体変形時に部分的な横方向のスライディングが可能であり、船体の変形を上述の断熱壁層自体が吸収することができる。
【０１５０】
上述のとおりに、本発明のコーナー構造体（１００）及び各平面構造体（２００）が船体内部面に設置された後、各二次断熱壁が成している空間部にポリウレタンフォーム材質の断熱材（２１１）が入れられた後は隣接する各二次密封壁が固定手段によって連結固定される。
【０１５１】
即ち、コーナー構造体（１００）の二次密封壁（５２）とそれに隣接する平面構造体（２００）の二次密封壁（２０３）を固定して、上述の平面構造体（２００）の隣接する二次密封壁（２０３）を相互固定させると共に、上述の平面構造体（２００）の二次密封壁（２０３）と隣接する上述のアンカー部の二次密封壁（１１４）を相互固定させるようになる。
【０１５２】
また、各一次断熱壁が成す空間部にポリウレタンフォーム材質の断熱材（２１０）が充填される。
【０１５３】
その上部には一次密封壁（２５０）が締結される。一次密封壁はアンカー部に熔接（望ましくはFillet熔接）される、望ましくはアンカー上部キャップ（１１９）に熔接される。一次密封壁については下記に詳細に記載する。
【０１５４】
図２４は本発明による液化天然ガスの保存タンクにおける二次密封壁を取り付ける手段を図示した拡大断面図で、図２５は本発明による液化天然ガスの保存タンクにおける二次密封壁を取り付ける手段を図示した拡大斜視図である。また、図２６は本発明による液化天然ガスの保存タンクにおけるアンカー構造体の締結関係を拡大図示した部分断面斜視図である。
ここで固定方法は、図２４及び図２５に図示したとおりに固定手段で固定するが、このような固定方式は本発明における全ての二次密封壁を取り付けるのにもれなく適用される。
【０１５５】
即ち、一例として図２４に図示したとおりに、本発明のコーナー部の一次及び二次断熱材（５７、５８）と平面部の一次及び二次断熱壁（２０４、２０２）とが形成する空間部（即ち、断熱壁の隙間）に突出した各二次密封壁（５２、２０３）が近接する部位に下部固定板（２１３）及び上部固定板（２１２）が上述の二次密封壁（５２、２０３）を間に挟んで対面するような形で位して、特にこの際に限らないが、固定ボルト（２１４）で上述の下部固定板（２１３）及び上部固定板（２１２）を固定すると、二次密封壁（５２、２０３）が堅固に固定される。
【０１５６】
ここで、下部固定板（２１３）及び上部固定板（２１２）は金属材質を利用する。
【０１５７】
また、上述の下部固定板（２１３）及び上部固定板（２１２）は上述の各二次密封壁（５２、２０３）を曲線形態に連結固定するが、これは上述の各下部固定板（２１３）及び上部固定板（２１２）の対面部が互いに対応している曲面凹凸部に形成されることで可能になる。このように、二次密封壁の末端が曲線で繋がっていることで万一発生するかもしれない一次密封壁のLNGの漏出に対する二次密封壁の密封特性が向上する。
【０１５８】
また、下部固定板（２１３）及び上部固定板（２１２）の締結体はその縦方向に多少の屈曲が存在するので、多少余分の長さを有することが望ましくて、保存タンクに液化天然ガスが入れられてから温度が下がって熱的に収縮してもその応力を吸収する余裕を提供するなど、機械的/熱的収縮及び膨脹作用に伴う負荷を容易く解消できる。
【０１５９】
また、このような二次密封壁の締結構造は、二次密封壁の締結を各断熱壁及び船体とは関係無く独立的に締結することによって断熱壁に自由度をある程度提供できて、特に船体内部面の変形に伴う断熱壁の損傷を防止することができる。
【０１６０】
以上のように、各コーナー構造体（１００）及び平面構造体（２００）が成す下部空間部に断熱材を充填して、各二次密封壁を固定手段で固定する。その次に、アンカー部の一次断熱壁（１１６）上部の溝にアンカー上部版（１１７）を入れ、再びアンカー断熱板材（１１８）を付着固定して、この中央部にまた円形のアンカー上部キャップ（１１９）を挿入固定する。このために、上述のアンカー断熱板材（１１８）の上部中央には所定の溝が形成されて、その空間に前述のアンカー上部キャップ（１１９）が位置する。上述のアンカー上部キャップ（１１９）にはナットが含まれており、ナットの構造が一体に形成されて上述のアンカー支持ロード（１１２）の上端に取り付けることでアンカー構造体（１５０）の組立を完了するようになる。
【０１６１】
図２６は本発明による液化天然ガスの保存タンクにおけるアンカー構造体の締結関係を拡大図示した部分断面斜視図で、一連の過程を経て組み立られた本発明によるアンカー構造体（１５０）は図２６に図示したとおりの締結構造を持つようになる。
【０１６２】
上述の組立過程を経て本発明によるコーナー構造体（１００）及び平面構造体（２００）が船体内部面に設置されて、アンカー構造体（１５０）の組立が完了すると、図２０に図示したとおりに、上述のコーナー構造体（１００）、各平面構造体（２００）及びアンカー構造体（１５０）が形成する一次断熱壁（２０４）が成す空間部（二次断熱壁が形成する空間部の上部）に断熱材で充填される。この際に充填される断熱材としてはグラスウール（Glass Wool）が適用されるが、これは一次断熱壁の熱的収縮に従来より柔軟性で対応することによって熱的応力をより容易く解消するためである。また、船体における捩れ現象の発生時に予備組立体の単位体が船体における捩れに順応して多少動くことができるようにする效果も有している。
【０１６３】
上述のとおりに、各組立構造体が形成する一次断熱壁の空間部にグラスウール（Glass Wool）のような断熱材を充填した後はその上部面にしわ部（２５１、Corrugation）を有するメンブレン型の一次密封壁（２５０）を付着固定するようになる。その一次密封壁（２５０）の材質は主に耐食性及び熱的安全性に優れたステンレス材質を利用するようになる。
【０１６４】
一方、上述の一次密封壁（２５０）の材質は、従来のMark III 型タンクで知られたり、本出願人によって公知された特許（国内特許出願第２００１-００１０４３８または２００１-００１０１５２号）に提示されたりした材質や形象にすることも可能で、彼らの変形も可能である。また、US３,２９９,５９８;US３,３０２,３５９;US３,５１０,２７８などに記載された一次密封壁を用いることもできる。
【０１６５】
また、上述のしわ部（２５１）は、各組立構造体（１００、１５０、２００）によって形成された空間部に沿って縦方向に形成されて、しわ部（２５１）を中心にして周辺部に多数のしわ部（２５１）が形成される。上述のしわ部（２５１）は、保存された液化天然ガスと直接接する一次密封壁（２５０）の熱的収縮及び膨脹作用が最も激しいので、柔軟性を持ってこれに対応して熱的変形を容易く解消するために工夫されたものである。また、上述のしわ部（２５１）が各一次断熱壁が形成した空間部の上部と同じく縦方向に形成される理由は、一次断熱壁に附着された二次密封壁の熱的収縮及び膨脹にも相互依存的に対応して保存タンクが受ける熱的応力を容易く解消することができるからである。
【０１６６】
図２７は本発明における他の実施例による液化天然ガスの保存タンクの一部切截斜視図である。
本発明の他の実施例によれば、上述の液化天然ガスの保存タンクは、図２７に図示したとおりに、液化天然ガスを保存する船舶のような構造物の内部に形成された空間に二次断熱壁（２９２）が設置されて、その上部面に形成される二次密封壁（２９３）及び一次断熱壁（２９４）が設置される。
【０１６７】
ここで、上述の一次断熱壁（２９４）というのは、上述の二次断熱壁（２９２）の端部の間の上部に形成される所定の空間部を含めており、上述の空間部には上述の一次断熱壁（２９４）側面及び二次密封壁（２９３）の上面と結合する平面部の連結断熱壁（２９７）が設置される。
【０１６８】
上述の平面部の連結断熱壁（２９７）の中心部には、アンカー部の一次断熱壁（２７６）が設置されて、上述の平面部の連結断熱壁（２９７）とアンカー部の一次断熱壁（２７６）との間の空間にはグラスウールを含める断熱材が充填される。
【０１６９】
前述のとおりに他の実施例による液化天然ガスの保存タンクの製造工程を見てみると、次のとおりである。
【０１７０】
図２８ないし図３６は本発明の他の実施例による液化天然ガスの保存タンクが船体内部空間に組み立られる過程を順次に図示した斜視図である。
【０１７１】
本明細書の説明のために、各図面の各構成要素に参照符号を与えることにおいて、同一の構成要素に対しては例え異なる図面上に示されても同一の符号が使われていることに留意する。
【０１７２】
本発明の他の実施例において、平面構造体またはコーナー構造体を固定する過程は前述の実施例のとおりであり、本発明における他の実施例では同一の過程について省略する。
【０１７３】
前述の過程を経て、図２８及び図２９に図示したとおりに、本発明のアンカー構造体（１５０）を形成するアンカー下部板（１１１）及びアンカー支持ロード（１１２）を中心に上述の平面構造体（２００）が挿入固定されると、アンカー部の二次断熱壁（１１３）が挿入される。
【０１７４】
上述のアンカー部の二次断熱壁（１１３）の上部面には円形のしわ部（１１５）が形成されたアンカー部の二次密封壁（１１４）が位するようになり、これらの二次密封壁（１１４）はアンカー支持ロード（１１２）に形成された板材（１２１）によって支持されて、挿入された後はアンカー支持ロード（１１２）にボルティング締結する固定ナット（１２３）によって堅固に固定される。
【０１７５】
また、図３０を参照すると、隣接して配置された各平面部の一次断熱壁（２９４）の側面と、その下部に隣接して位置した平面部の二次断熱壁（２９２）の上部に固定された二次密封壁（２９３）の上部面には平面部の連結断熱壁（２９７）が設置されて、本発明の実施例において上述の平面部の連結断熱壁（２９７）は上述の平面部の二次密封壁（２９３）または上述のアンカー部の二次密封壁（１１４）の上面に接着剤（P）で固定される。従って、予備組立体に形成される平面構造体（２００）はアンカー部の下端のアンカー下部板（１１１）によって上部への移動が制限される。一方、アンカー部の二次密封壁（１１４）の周辺にはしわ部が形成されているので、平面構造体（２００）はアンカー下部板（１１１）によって上部への移動が制限された状態で横方向へ多少移動しても二次密封壁はその移動を吸収することができる。
【０１７６】
このように、上述の平面部の連結断熱壁（２９７）と二次密封壁(１１４、２９３)が接着剤（P）によってより強く締結するようになる。
【０１７７】
この際に上述の平面部の連結断熱壁（２９７）は隣接した上述の平面部の一次断熱壁（２９４）の側面と一定の距離を離隔した隙間（1〜4mm）が形成できて、このように形成された隙間は上述の船体の変形時に上述の平面構造体（２００）が流動できる空間を提供して変形量を吸収することができるようにする。
【０１７８】
また、上述の平面部の連結断熱壁（２９７）は、隣接する平面部の二次密封壁（２９３）の上部に位して上述のアンカー部の二次密封壁（１１４）と平面部の二次密封壁（２９３）の端部を固定する。これによって、上述の平面部の連結断熱壁（２９７）が下記の平面部の二次密封壁（２９３）または上述のアンカー部の二次密封壁（１１４）と接着剤（P）で強く接着される。従って、万一の場合、一次密封壁が破損しても液化天然ガスが上述の平面部の二次密封壁（２９３）の連結部分またはアンカー部の二次密封壁（１１４）まで到逹することができないので、液化天然ガスの漏出を確実に遮断することができる。
【０１７９】
上述のとおりに、各二次密封壁（１１４、２９３）を固定手段によって固定した後は、図３１ないし図３６に図示した順に、アンカー支持ロード（１１２）にアンカー部の一次断熱壁（１１６）を挿入して、そのアンカー部の一次断熱壁（１１６）の上部面に形成された円形のへこんでいるところにアンカー上部板（３３７）を挿入してアンカー支持ロード（１１２）の上端部に固定する。
【０１８０】
次に、その上部面に更にアンカー断熱板材（３３８）を付着固定させて、その中央部に更に円形のアンカー上部キャップ（３３９）を挿入固定する。このために、上述のアンカー断熱板材（３３８）の上部中央には所定の溝が形成されて、その空間に上述のアンカー上部キャップ（３３９）が位するようになる。上述のアンカー上部キャップ（３３９）にはナットが含まれていたり、ナットの構造が一体に形成されて、上述のアンカー支持ロード（１１２）の上端に取り付けられることによってアンカー構造体（１５０）の組立作業が完了するようになる。
【０１８１】
上述の組立過程を経て、本発明によるアンカー構造体と平面構造体（２００）が形成する一次断熱壁（２７６、２９７）の空間部（二次断熱壁が形成する空間部の上部）に断熱材で充填することができる。この際に充填される断熱材としてはグラスウール（Glass Wool、３２５）を適用することができて、これは一次断熱壁（２７６、２９７）の熱的収縮によって柔軟性を持って対応して熱的応力をより容易く解消するためである。
【０１８２】
上述の一次断熱壁（２７６、２９７）が形成する空間部にグラスウール（３２５）のような断熱材を充填した後、図３６に図示したとおりに、その上部面にしわ部（２５１）を有するメンブレン型の一次密封壁（２５０）を付着固定するようになる。その一次密封壁（２５０）の材質は主に耐食性及び熱的安全性が優れているステンレス材質を利用することができる。
【０１８３】
また、上述の一次密封壁（２５０）の材質は、従来のMark III 型タンクで知られており、本出願人によって公知された特許（国内特許出願第２００１-００１０４３８または２００１-００１０１５２号）に提示された材質で構成することができて、その形象においても変形が可能である。
【０１８４】
図３７及び図３８は本発明による液化天然ガスの保存タンクにおいて二次密封壁を取り付ける状態図を拡大図示した断面図である。
【０１８５】
ここで上述の平面部の二次密封壁（２９３）が固定される方式は、図３７及び図３８に図示したものと同一の固定手段によって固定されて、これらの固定方式は本発明の全ての平面部の二次密封壁（２９３）を相互固定するのに全て適用される。
【０１８６】
即ち、一例として図３７に図示したとおりに、本発明において隣接する平面部の一次及び二次断熱壁（２９２、２９４）が形成する空間部に突出した各平面部の二次密封壁（２９３）が近接する部位に上述の平面部の二次密封壁（２９３）の端部が隙間無く接するように締結する上部連結部材（３１２）及び下部連結部材（３１３）が設置される。
【０１８７】
また、上述の平面部の二次密封壁（２９３）は上部面と下部面にそれぞれ樹脂材（２９３a）が塗布されて、隣接した断熱壁が形成する空間部に延長される。
【０１８８】
この際に特に限らないが、直結ボルト（３１４）で上述の下部連結部材（３１３）及び上部連結部材（３１２）を固定すると、上述の平面部の二次密封壁（２９３）が堅固に固定される。更に、このために、上述の平面部の連結断熱壁（２９７）には上述の直結ボルト（３１４）を挿入するための貫通部（２９７a）が形成される。
【０１８９】
ここで、上述の固定ボルトまたは固定ボルト（３１４）は、上述の上部連結部材（３１２）または下部連結部材（３１３）を直接貫通させて締結する構造を有して、別途のボルト締結孔を形成しない状態の作業が可能である。例えば、直結ボルト（Self Drilling Screw）が使用可能である。
【０１９０】
また、上述の固定ボルト（３１４）には平ワッシャー（Washer Plain、３１４a）またはスプリングワッシャー（Spring Washer、３１４b）が含まれており、上述の断熱材の上部を所定の圧力で圧搾した状態で維持するようになる。ここで、上述の固定ボルト（３１４）はLNGの膨脹圧による断熱材の体積、即ち厚さの減少量を考慮して取り付けるのが望ましい。
【０１９１】
一方、上述の上部連結部材（３１２）及び下部連結部材（３１３）の締結面には上述の平面部の二次密封壁（２９３）を収容する溝が形成される。また、上述の溝の両端部には相互対向または非対向するように形成された凹凸部（３１２a、３１３a）が形成される。前述の上部連結部材（３１２）及び下部連結部材（３１３）は上述の固定ボルト（３１４）によって固定時に上述の凹凸部（３１２a、３１３a）が上述の平面部の二次密封壁（２９３）に塗布された樹脂材（２９３a）を圧搾するようになる。
【０１９２】
この際に上述の樹脂材（２９３a）は上述の凹凸部（３１２a、３１３b）の間の凹部に収容されて、上述の平面部の二次密封壁（２９３）と上述の上部連結部材（３１２）または下部連結部材（３１３）の間の隙間を密閉する。ここで、上述の樹脂材（２９３a）は硬化性樹脂で作られたものであり、圧搾成形された後で硬化する。
【０１９３】
従って、万一発生するかもしれない一次密封壁（２５０）の破損に伴うガス漏出に対する二次密封壁（２０３）の密封特性が向上する。
【０１９４】
本発明は、上述の各図面に図示したような具体的な実施例により実施されて、本発明がこれらの具体的な実施例に限らずに本発明における技術思想を脱しない範囲内で多様に変形して実施することも可能である。
【０１９５】
更に、本発明は船体内部に設置される液化天然ガスの保存タンクだけではなく、陸上に設置される液化天然ガスの保存タンクにも同じく適用することができるのは勿論のことである。
【図面の簡単な説明】
【０１９６】
【図１】図１は、従来のメンブレン型の液化天然ガスの保存タンクであるGTT NO ９６-２型を図示した断面図及び斜視図である。
【図２】図２は、従来のメンブレン型の液化天然ガスの保存タンクであるGTT NO ９６-２型を図示した断面図及び斜視図である。
【図３】図３は、従来のメンブレン型の液化天然ガスの保存タンクであるGTT Mark III 型を図示した断面図及び斜視図である。
【図４】図４は、従来のメンブレン型の液化天然ガスの保存タンクであるGTT Mark III 型を図示した断面図及び斜視図である。
【図５】図５は、従来のLNG保存タンクのコーナー部の構造を図示した断面図である。
【図６】図６の（a）及び（b）は、本発明の一実施例による液化天然ガスの保存タンクを構成するコーナー構造体の内部構造を図示した断面図である。
【図７】図７は、本発明による船舶の内部に設置される液化天然ガスの保存タンクのコーナー構造の連結関係を図示した全体斜視図である。
【図８】図８は、本発明の一実施例による船舶の内部に設置される液化天然ガスの保存タンクのコーナー構造を図示した部分拡大断面斜視図である。
【図９】図９は、本発明の一実施例による液化天然ガスの保存タンクが船体の内部空間に組み込まれる過程を順次に図示した斜視図である。
【図１０】図１０は、本発明の一実施例による液化天然ガスの保存タンクが船体の内部空間に組み込まれる過程を順次に図示した斜視図である。
【図１１】図１１は、本発明の一実施例による液化天然ガスの保存タンクが船体の内部空間に組み込まれる過程を順次に図示した斜視図である。
【図１２】図１２は、本発明の一実施例による液化天然ガスの保存タンクが船体の内部空間に組み込まれる過程を順次に図示した斜視図である。
【図１３】図１３は、本発明の一実施例による液化天然ガスの保存タンクが船体の内部空間に組み込まれる過程を順次に図示した斜視図である。
【図１４】図１４は、本発明の一実施例による液化天然ガスの保存タンクが船体の内部空間に組み込まれる過程を順次に図示した斜視図である。
【図１５】図１５は、本発明の一実施例による液化天然ガスの保存タンクが船体の内部空間に組み込まれる過程を順次に図示した斜視図である。
【図１６】図１６は、本発明の一実施例による液化天然ガスの保存タンクが船体の内部空間に組み込まれる過程を順次に図示した斜視図である。
【図１７】図１７は、本発明の一実施例による液化天然ガスの保存タンクが船体の内部空間に組み込まれる過程を順次に図示した斜視図である。
【図１８】図１８は、本発明の一実施例による液化天然ガスの保存タンクが船体の内部空間に組み込まれる過程を順次に図示した斜視図である。
【図１９】図１９は、本発明の一実施例による液化天然ガスの保存タンクが船体の内部空間に組み込まれる過程を順次に図示した斜視図である。
【図２０】図２０は、本発明の一実施例による液化天然ガスの保存タンクが船体の内部空間に組み込まれる過程を順次に図示した斜視図である。
【図２１】図２１は、本発明の一実施例による液化天然ガスの保存タンクが船体の内部空間に組み込まれる過程を順次に図示した斜視図である。
【図２２】図２２は、本発明の一実施例による液化天然ガスの保存タンクが船体の内部空間に組み込まれる過程を順次に図示した斜視図である。
【図２３】図２３は、本発明の一実施例による液化天然ガスの保存タンクが船体の内部空間に組み込まれる過程を順次に図示した斜視図である。
【図２４】図２４は、本発明の一実施例による液化天然ガスの保存タンクの二次密封壁を取り付ける手段を図示した拡大断面図である。
【図２５】図２５は、本発明の一実施例による液化天然ガスの保存タンクの二次密封壁を取り付ける手段を図示した拡大斜視図である。
【図２６】図２６の（a）、（b）は、本発明の一実施例による液化天然ガスの保存タンクのアンカー構造体の締結関係を拡大図示した部分断面斜視図である。
【図２７】図２７は、本発明の他の実施例による液化天然ガスの保存タンクの一部切截斜視図である。
【図２８】図２８は、本発明の他の実施例による液化天然ガスの保存タンクが船体の内部空間に組み込まれる過程を順次に図示した斜視図である。
【図２９】図２９は、本発明の他の実施例による液化天然ガスの保存タンクが船体の内部空間に組み込まれる過程を順次に図示した斜視図である。
【図３０】図３０は、本発明の他の実施例による液化天然ガスの保存タンクが船体の内部空間に組み込まれる過程を順次に図示した斜視図である。
【図３１】図３１は、本発明の他の実施例による液化天然ガスの保存タンクが船体の内部空間に組み込まれる過程を順次に図示した斜視図である。
【図３２】図３２は、本発明の他の実施例による液化天然ガスの保存タンクが船体の内部空間に組み込まれる過程を順次に図示した斜視図である。
【図３３】図３３は、本発明の他の実施例による液化天然ガスの保存タンクが船体の内部空間に組み込まれる過程を順次に図示した斜視図である。
【図３４】図３４は、本発明の他の実施例による液化天然ガスの保存タンクが船体の内部空間に組み込まれる過程を順次に図示した斜視図である。
【図３５】図３５は、本発明の他の実施例による液化天然ガスの保存タンクが船体の内部空間に組み込まれる過程を順次に図示した斜視図である。
【図３６】図３６は、本発明の他の実施例による液化天然ガスの保存タンクが船体の内部空間に組み込まれる過程を順次に図示した斜視図である。
【図３７】図３７は、本発明による液化天然ガスの保存タンクの二次密封壁を取り付ける状態図を図示した拡大断面図である。
【図３８】図３８は、本発明による液化天然ガスの保存タンクの二次密封壁を取り付ける状態図を図示した拡大断面図である。
【図３９】図３９は、本発明による液化天然ガスの保存タンクが設置された船舶の断面図である。
【図４０】図４０は、図３９の断熱システムの部分拡大図である。
【図４１】図４１は、アンカー部から二次密封壁の連結状態を図示した図である。
【符号の説明】
【０１９７】
５０    コーナー支持板
５１    コーナー部の一次断熱壁
５２    コーナー部の二次密封壁
５３    コーナー部の二次断熱壁
５４、５６    板材
５７、５８    断熱材
６０    下部支持ロード
６１    ロード支持キャップ（Cap）
７０    上部支持ロード
８０、８１    コーナー部の突出部材
９０    連結補強台
１００    コーナー構造体
１０１    固定台
１０９    スタッドピン（Stud Pin）
１１０    アンカーベース板
１１１    アンカー下部板
１１３    アンカー部の二次断熱壁
１１４    アンカー部の二次密封壁
１１５    しわ部
１１９    アンカー上部キャップ
１５０    アンカー構造体
２００    平面構造体
２０１    下部板材
２０２    平面部の二次断熱壁
２０３    平面部の二次密封壁
２０４    平面部の一次断熱壁
２０５    上部板材
２１１    断熱材
２１２    上部固定板
２１３    下部固定板
２１４    固定ボルト
２５０    一次密封壁
２５１    しわ部
３９００    船舶
３９０１    船体外部壁（外殻）
３９０３    船体内部壁（内殻）
３９０７    隔壁
３９１５    アンカー構造体
３９１７    中間壁構造体
３９１７（１００）    コーナー構造体
３９１７（２００）    平面構造体
【図１】
2006300319.tif 000006
【図２】
2006300319.tif 000007
【図３】
2006300319.tif 000008
【図４】
2006300319.tif 000009
【図５】
2006300319.tif 000010
【図６】
2006300319.tif 000011
【図７】
2006300319.tif 000012
【図８】
2006300319.tif 000013
【図９】
2006300319.tif 000014
【図１０】
2006300319.tif 000015
【図１１】
2006300319.tif 000016
【図１２】
2006300319.tif 000017
【図１３】
2006300319.tif 000018
【図１４】
2006300319.tif 000019
【図１５】
2006300319.tif 000020
【図１６】
2006300319.tif 000021
【図１７】
2006300319.tif 000022
【図１８】
2006300319.tif 000023
【図１９】
2006300319.tif 000024
【図２０】
2006300319.tif 000025
【図２１】
2006300319.tif 000026
【図２２】
2006300319.tif 000027
【図２３】
2006300319.tif 000028
【図２４】
2006300319.tif 000029
【図２５】
2006300319.tif 000030
【図２６】
2006300319.tif 000031
【図２７】
2006300319.tif 000032
【図２８】
2006300319.tif 000033
【図２９】
2006300319.tif 000034
【図３０】
2006300319.tif 000035
【図３１】
2006300319.tif 000036
【図３２】
2006300319.tif 000037
【図３３】
2006300319.tif 000038
【図３４】
2006300319.tif 000039
【図３５】
2006300319.tif 000040
【図３６】
2006300319.tif 000041
【図３７】
2006300319.tif 000042
【図３８】
2006300319.tif 000043
【図３９】
2006300319.tif 000044
【図４０】
2006300319.tif 000045
【図４１】
2006300319.tif 000046